(57)【要約】【課題】語学習得を望む利用者に対して容易に会話を続けさせることができ、コミュニケーションを通じて利用者の学習効率をより促進させることができる語学学習装置、語学学習方法、及びプログラムを提供することを課題とする。【解決手段】本発明の語学学習装置は、発言情報と当該発言情報に対応する返答情報とを対応付けた複数の会話情報であって、実際の会話における使用順で整理された会話情報を人物毎に記憶部に記憶する。そして、語学学習装置は、第１人物と第２人物との会話が続くように、記憶部に記憶された会話情報に含まれる発言情報及び返答情報を、実際の会話における使用順に従って表示部に表示するよう制御したり、適宜、発言の候補や返答の候補として、利用者が入力部を介して選択可能な形態で表示部に表示するよう制御する。【選択図】図２
2015194756.tif 000002
【特許請求の範囲】
【請求項１】
制御部と記憶部と入力部と表示部とを少なくとも備えた語学学習装置であって、
前記記憶部は、
発言情報と当該発言情報に対応する返答情報とを対応付けた複数の会話情報であって、実際の会話における使用順で整理された会話情報を人物毎に記憶する会話情報記憶手段、を備え、
前記制御部は、
利用者により前記入力部を介して第１の人物が選択された場合、前記会話情報記憶手段に記憶された前記会話情報から第１の使用順で整理された前記第１の人物における第１の第１人物発言情報を検索し、検索した当該第１の第１人物発言情報を、前記第１の人物が第２の人物に対して発言する表示形態で、前記表示部に表示するよう制御する第１人物発言出力手段と、
前記第１人物発言出力手段により前記表示部に表示された前記第１の第１人物発言情報に対する前記第２の人物の返答として、前記会話情報記憶手段に記憶された前記会話情報から前記第１の使用順で整理された前記第２の人物における第１の第２人物返答情報を検索し、検索した当該第１の第２人物返答情報を、前記第２の人物が前記第１の人物に対して返答する表示形態で、前記表示部に表示するように制御する第２人物返答出力手段と、
前記会話情報記憶手段に記憶された前記会話情報から前記第１の使用順で整理された前記第２の人物における第１の第２人物発言情報を検索し、検索した当該第１の第２人物発言情報を、前記第２の人物が前記第１の人物に対して発言する表示形態で、前記表示部に表示するよう制御する第２人物発言出力手段と、
前記第２人物発言出力手段により前記表示部に表示された前記第１の第２人物発言情報に対する前記第１の人物の返答の候補として、前記会話情報記憶手段に記憶された前記会話情報から第２の使用順で整理された前記第１の人物における第１の第１人物返答情報及び第２の第１人物返答情報を検索し、検索した当該第１の第１人物返答情報又は当該第２の第１人物返答情報のうち一方を選択可能な表示形態で、前記表示部に表示するよう制御する返答候補出力手段と、
前記返答候補出力手段により前記表示部に表示された前記第１の第１人物返答情報及び前記第２の第１人物返答情報のうち、前記利用者により前記入力部を介して前記第１の第１人物返答情報が選択された場合、当該第１の第１人物返答情報を前記第１の人物が前記第２の人物に対して返答する表示形態で、前記表示部に表示するように制御するが、或いは、前記利用者により前記入力部を介して前記第２の第１人物返答情報が選択された場合、当該第２の第１人物返答情報を前記第１の人物が前記第２の人物に対して返答する表示形態で、前記表示部に表示するように制御する第１人物返答出力手段と、
を備えたことを特徴とする語学学習装置。
【請求項２】
前記制御部は、
前記第１の人物から前記第２の人物に対する発言の候補として、前記会話情報記憶手段に記憶された前記会話情報から前記第２の使用順で整理された前記第１の人物における第２の第１人物発言情報及び第３の第１人物発言情報を検索し、検索した当該第２の第１人物発言情報又は当該第３の第１人物発言情報のうち一方を選択可能な表示形態で、前記表示部に表示するよう制御する発言候補出力手段と、
を更に備え、
前記第１人物発言出力手段は、
前記発言候補出力手段により前記表示部に表示された前記第２の第１人物発言情報及び前記第３の第１人物発言情報のうち、前記利用者により前記入力部を介して前記第２の第１人物発言情報が選択された場合、当該第２の第１人物発言情報を前記第１の人物が前記第２の人物に対して発言する表示形態で、前記表示部に表示するように制御するか、或いは、前記利用者により前記入力部を介して前記第３の第１人物発言情報が選択された場合、当該第３の第１人物発言情報を前記第１の人物が前記第２の人物に対して発言する表示形態で、前記表示部に表示するように制御することを特徴とする請求項１に記載の語学学習装置。
【請求項３】
前記第２人物返答出力手段は、
前記第１人物発言出力手段により前記第２の第１人物発言情報が前記表示部に表示された場合、当該第２の第１人物発言情報に対する前記第２の人物の返答として、前記会話情報記憶手段に記憶された前記会話情報から前記第２の使用順で整理された前記第２の人物における第２の第２人物返答情報を検索し、検索した当該第２の第２人物返答情報を、前記第２の人物が前記第１の人物に対して返答する表示形態で、前記表示部に表示するように制御するか、或いは、
前記第１人物発言出力手段により前記第３の第１人物発言情報が前記表示部に表示された場合、当該第３の第１人物発言情報に対する前記第２の人物の返答として、前記会話情報記憶手段に記憶された前記会話情報から前記第２の使用順で整理された前記第２の人物における第３の第２人物返答情報を検索し、検索した当該第３の第２人物返答情報を、前記第２の人物が前記第１の人物に対して返答する表示形態で、前記表示部に表示するように制御し、
前記第２人物発言出力手段は、
前記会話情報記憶手段に記憶された前記会話情報から前記第２の使用順で整理された前記第２の人物における第２の第２人物発言情報を検索し、検索した当該第２の第２人物発言情報を、前記第２の人物が前記第１の人物に対して発言する表示形態で、前記表示部に表示するよう制御し、
前記返答候補出力手段は、
前記第２人物発言出力手段により前記表示部に表示された前記第２の第２人物発言情報に対する前記第１の人物の返答の候補として、前記会話情報記憶手段に記憶された前記会話情報から第３の使用順で整理された前記第１の人物における第３の第１人物返答情報及び第４の第１人物返答情報を検索し、検索した当該第３の第１人物返答情報又は当該第４の第１人物返答情報のうち一方を選択可能な表示形態で、前記表示部に表示するよう制御し、
前記第１人物返答出力手段は、
前記返答候補出力手段により前記表示部に表示された前記第３の第１人物返答情報及び前記第４の第１人物返答情報のうち、前記利用者により前記入力部を介して前記第３の第１人物返答情報が選択された場合、当該第３の第１人物返答情報を前記第１の人物が前記第２の人物に対して返答する表示形態で、前記表示部に表示するように制御するか、或いは、前記利用者により前記入力部を介して前記第４の第１人物返答情報が選択された場合、当該第４の第１人物返答情報を前記第１の人物が前記第２の人物に対して返答する表示形態で、前記表示部に表示するように制御することを特徴とする請求項２に記載の語学学習装置。
【請求項４】
前記発言候補出力手段は、
前記第１の人物から前記第２の人物に対する発言の候補として、前記会話情報記憶手段に記憶された前記会話情報から前記第３の使用順で整理された前記第１の人物における第４の第１人物発言情報及び第５の第１人物発言情報を検索し、検索した当該第４の第１人物発言情報又は当該第５の第１人物発言情報のうち一方を選択可能な表示形態で、前記表示部に表示するよう制御し、
前記第１人物発言出力手段は、
前記発言候補出力手段により前記表示部に表示された前記第４の第１人物発言情報及び前記第５の第１人物発言情報のうち、前記利用者により前記入力部を介して前記第４の第１人物発言情報が選択された場合、当該第４の第１人物発言情報を前記第１の人物が前記第２の人物に対して発言する表示形態で、前記表示部に表示するように制御するか、或いは、前記利用者により前記入力部を介して前記第５の第１人物発言情報が選択された場合、当該第５の第１人物発言情報を前記第１の人物が前記第２の人物に対して発言する表示形態で、前記表示部に表示するように制御することを特徴とする請求項３に記載の語学学習装置。
【請求項５】
音声入力部を更に備え、
前記返答候補出力手段により前記表示部に表示された返答の候補、及び、前記発言候補出力手段により前記表示部に表示された発言の候補は、前記利用者により前記音声入力部を介して入力される音声に応じて選択される請求項２乃至４に記載の語学学習装置。
【請求項６】
音声出力部を更に備え、
前記会話情報記憶手段に記憶された前記発言情報及び前記返答情報は、前記音声出力部を介して出力される請求項１乃至５に記載の語学学習装置。
【請求項７】
制御部と記憶部と入力部と表示部とを少なくとも備えた語学学習装置であって、
前記記憶部は、
発言情報と当該発言情報に対応する返答情報とを対応付けた複数の会話情報であって、実際の会話における使用順で整理された会話情報を人物毎に記憶する会話情報記憶手段、を備え、
前記制御部は、
利用者により前記入力部を介して第２の人物が選択された場合、前記会話情報記憶手段に記憶された前記会話情報から第１の使用順で整理された第１の人物における第１の第１人物発言情報を検索し、検索した当該第１の第１人物発言情報を、前記第１の人物が第２の人物に対して発言する表示形態で、前記表示部に表示するよう制御する第１人物発言出力手段と、
前記第１人物発言出力手段により前記表示部に表示された前記第１の第１人物発言情報に対する前記第２の人物の返答の候補として、前記会話情報記憶手段に記憶された前記会話情報から前記第１の使用順で整理された前記第２の人物における第１の第２人物返答情報及び第２の第２人物返答情報を検索し、検索した当該第１の第２人物返答情報又は当該第２の第２人物返答情報のうち一方を選択可能な表示形態で、前記表示部に表示するよう制御する返答候補出力手段と、
前記返答候補出力手段により前記表示部に表示された前記第１の第２人物返答情報及び前記第２の第２人物返答情報のうち、前記利用者により前記入力部を介して前記第１の第２人物返答情報が選択された場合、当該第１の第２人物返答情報を前記第２の人物が前記第１の人物に対して返答する表示形態で、前記表示部に表示するように制御するか、或いは、前記利用者により前記入力部を介して前記第２の第２人物返答情報が選択された場合、当該第２の第２人物返答情報を前記第２の人物が前記第１の人物に対して返答する表示形態で、前記表示部に表示するように制御する第２人物返答出力手段と、
を備えたことを特徴とする語学学習装置。
【請求項８】
前記制御部は、
前記第２の人物から前記第１の人物に対する発言の候補として、前記会話情報記憶手段に記憶された前記会話情報から前記第１の使用順で整理された前記第２の人物における第１の第２人物発言情報及び第２の第２人物発言情報を検索し、検索した当該第１の第２人物発言情報又は当該第２の第２人物発言情報のうち一方を選択可能な表示形態で、前記表示部に表示するよう制御する発言候補出力手段と、
前記発言候補出力手段により前記表示部に表示された前記第１の第２人物発言情報及び前記第２の第２人物発言情報のうち、前記利用者により前記入力部を介して前記第１の第２人物発言情報が選択された場合、当該第１の第２人物発言情報を前記第２の人物が前記第１の人物に対して発言する表示形態で、前記表示部に表示するように制御するか、或いは、前記利用者により前記入力部を介して前記第２の第２人物発言情報が選択された場合、当該第２の第２人物発言情報を前記第２の人物が前記第１の人物に対して発言する表示形態で、前記表示部に表示するように制御する第２人物発言出力手段、
を更に備えたことを特徴とする請求項７に記載の語学学習装置。
【請求項９】
前記制御部は、
前記第２人物発言出力手段により前記第１の第２人物発言情報が前記表示部に表示された場合、当該第１の第２人物発言情報に対する前記第１の人物の返答として、前記会話情報記憶手段に記憶された前記会話情報から第２の使用順で整理された前記第１の人物における第１の第１人物返答情報を検索し、検索した当該第１の第１人物返答情報を、前記第１の人物が前記第２の人物に対して返答する表示形態で、前記表示部に表示するように制御するか、或いは、
前記第２人物発言出力手段により前記第２の第２人物発言情報が前記表示部に表示された場合、当該第２の第２人物発言情報に対する前記第１の人物の返答として、前記会話情報記憶手段に記憶された前記会話情報から前記第２の使用順で整理された前記第１の人物における第２の第１人物返答情報を検索し、検索した当該第２の第１人物返答情報を、前記第１の人物が前記第２の人物に対して返答する表示形態で、前記表示部に表示するように制御する第１人物返答出力手段、
を更に備え、
前記第１人物発言出力手段は、
前記会話情報記憶手段に記憶された前記会話情報から前記第２の使用順で整理された前記第１の人物における第２の第１人物発言情報を検索し、検索した当該第２の第１人物発言情報を、前記第１の人物が第２の人物に対して発言する表示形態で、前記表示部に表示するよう制御し、
前記返答候補出力手段は、
前記第１人物発言出力手段により前記表示部に表示された前記第２の第１人物発言情報に対する前記第２の人物の返答の候補として、前記会話情報記憶手段に記憶された前記会話情報から前記第２の使用順で整理された前記第２の人物における第３の第２人物返答情報及び第４の第２人物返答情報を検索し、検索した当該第３の第２人物返答情報又は当該第４の第２人物返答情報のうち一方を選択可能な表示形態で、前記表示部に表示するよう制御し、
前記第２人物返答出力手段は、
前記返答候補出力手段により前記表示部に表示された前記第３の第２人物返答情報及び前記第４の第２人物返答情報のうち、前記利用者により前記入力部を介して前記第３の第２人物返答情報が選択された場合、当該第３の第２人物返答情報を前記第２の人物が前記第１の人物に対して返答する表示形態で、前記表示部に表示するように制御するか、或いは、前記利用者により前記入力部を介して前記第４の第２人物返答情報が選択された場合、当該第４の第２人物返答情報を前記第２の人物が前記第１の人物に対して返答する表示形態で、前記表示部に表示するように制御することを特徴とする請求項８に記載の語学学習装置。
【請求項１０】
前記発言候補出力手段は、
前記第２の人物から前記第１の人物に対する発言の候補として、前記会話情報記憶手段に記憶された前記会話情報から第３の使用順で整理された前記第２の人物における第３の第２人物発言情報及び第４の第２人物発言情報を検索し、検索した当該第３の第２人物発言情報又は当該第４の第２人物発言情報のうち一方を選択可能な表示形態で、前記表示部に表示するよう制御し、
前記第２人物発言出力手段は、
前記発言候補出力手段により前記表示部に表示された前記第３の第２人物発言情報及び前記第４の第２人物発言情報のうち、前記利用者により前記入力部を介して前記第３の第２人物発言情報が選択された場合、当該第３の第１人物発言情報を前記第２の人物が前記第１の人物に対して発言する表示形態で、前記表示部に表示するように制御するか、或いは、前記利用者により前記入力部を介して前記第４の第２人物発言情報が選択された場合、当該第４の第２人物発言情報を前記第２の人物が前記第１の人物に対して発言する表示形態で、前記表示部に表示するように制御することを特徴とする請求項９に記載の語学学習装置。
【請求項１１】
音声入力部を更に備え、
前記返答候補出力手段により前記表示部に表示された返答の候補、及び、前記発言候補出力手段により前記表示部に表示された発言の候補は、前記利用者により前記音声入力部を介して入力される音声に応じて選択される請求項８乃至１０に記載の語学学習装置。
【請求項１２】
音声出力部を更に備え、
前記会話情報記憶手段に記憶された前記発言情報及び前記返答情報は、前記音声出力部を介して出力される請求項７乃至１１に記載の語学学習装置。
【請求項１３】
制御部と記憶部と入力部と表示部とを少なくとも備えた語学学習装置において実行される語学学習方法であって、
前記記憶部は、
発言情報と当該発言情報に対応する返答情報とを対応付けた複数の会話情報であって、実際の会話における使用順で整理された会話情報を人物毎に記憶する会話情報記憶手段、を備え、
前記制御部において実行される、
利用者により前記入力部を介して第１の人物が選択された場合、前記会話情報記憶手段に記憶された前記会話情報から第１の使用順で整理された前記第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、
前記第１人物発言出力ステップにて前記表示部に表示された前記第１の第１人物発言情報に対する前記第２の人物の返答として、前記会話情報記憶手段に記憶された前記会話情報から前記第１の使用順で整理された前記第２の人物における第１の第２人物返答情報を検索し、検索した当該第１の第２人物返答情報を、前記第２の人物が前記第１の人物に対して返答する表示形態で、前記表示部に表示するように制御する第２人物返答出力ステップと、
前記会話情報記憶手段に記憶された前記会話情報から前記第１の使用順で整理された前記第２の人物における第１の第２人物発言情報を検索し、検索した当該第１の第２人物発言情報を、前記第２の人物が前記第１の人物に対して発言する表示形態で、前記表示部に表示するよう制御する第２人物発言出力ステップと、
前記第２人物発言出力ステップにて前記表示部に表示された前記第１の第２人物発言情報に対する前記第１の人物の返答の候補として、前記会話情報記憶手段に記憶された前記会話情報から第２の使用順で整理された前記第１の人物における第１の第１人物返答情報及び第２の第１人物返答情報を検索し、検索した当該第１の第１人物返答情報又は当該第２の第１人物返答情報のうち一方を選択可能な表示形態で、前記表示部に表示するよう制御する返答候補出力ステップと、
前記返答候補出力ステップにて前記表示部に表示された前記第１の第１人物返答情報及び前記第２の第１人物返答情報のうち、前記利用者により前記入力部を介して前記第１の第１人物返答情報が選択された場合、当該第１の第１人物返答情報を前記第１の人物が前記第２の人物に対して返答する表示形態で、前記表示部に表示するように制御するか、或いは、前記利用者により前記入力部を介して前記第２の第１人物返答情報が選択された場合、当該第２の第１人物返答情報を前記第１の人物が前記第２の人物に対して返答する表示形態で、前記表示部に表示するように制御する第１人物返答出力ステップと、
を含むことを特徴とする語学学習方法。
【請求項１４】
前記制御部において実行される、
前記第１の人物から前記第２の人物に対する発言の候補として、前記会話情報記憶手段に記憶された前記会話情報から前記第２の使用順で整理された前記第１の人物における第２の第１人物発言情報及び第３の第１人物発言情報を検索し、検索した当該第２の第１人物発言情報又は当該第３の第１人物発言情報のうち一方を選択可能な表示形態で、前記表示部に表示するよう制御する発言候補出力ステップと、
を更に含み、
前記第１人物発言出力ステップにおいて、
前記発言候補出力ステップにて前記表示部に表示された前記第２の第１人物発言情報及び前記第３の第１人物発言情報のうち、前記利用者により前記入力部を介して前記第２の第１人物発言情報が選択された場合、当該第２の第１人物発言情報を前記第１の人物が前記第２の人物に対して発言する表示形態で、前記表示部に表示するように制御するか、或いは、前記利用者により前記入力部を介して前記第３の第１人物発言情報が選択された場合、当該第３の第１人物発言情報を前記第１の人物が前記第２の人物に対して発言する表示形態で、前記表示部に表示するように制御することを特徴とする請求項１３に記載の語学学習方法。
【請求項１５】
前記第２人物返答出力ステップにおいて、
前記第１人物発言出力ステップにて前記第２の第１人物発言情報が前記表示部に表示された場合、当該第２の第１人物発言情報に対する前記第２の人物の返答として、前記会話情報記憶手段に記憶された前記会話情報から前記第２の使用順で整理された前記第２の人物における第２の第２人物返答情報を検索し、検索した当該第２の第２人物返答情報を、前記第２の人物が前記第１の人物に対して返答する表示形態で、前記表示部に表示するように制御するか、或いは、
前記第１人物発言出力ステップにて前記第３の第１人物発言情報が前記表示部に表示された場合、当該第３の第１人物発言情報に対する前記第２の人物の返答として、前記会話情報記憶手段に記憶された前記会話情報から前記第２の使用順で整理された前記第２の人物における第３の第２人物返答情報を検索し、検索した当該第３の第２人物返答情報を、前記第２の人物が前記第１の人物に対して返答する表示形態で、前記表示部に表示するように制御し、
前記第２人物発言出力ステップにおいて、
前記会話情報記憶手段に記憶された前記会話情報から前記第２の使用順で整理された前記第２の人物における第２の第２人物発言情報を検索し、検索した当該第２の第２人物発言情報を、前記第２の人物が前記第１の人物に対して発言する表示形態で、前記表示部に表示するよう制御し、
前記返答候補出力ステップにおいて、
前記第２人物発言出力ステップにて前記表示部に表示された前記第２の第２人物発言情報に対する前記第１の人物の返答の候補として、前記会話情報記憶手段に記憶された前記会話情報から第３の使用順で整理された前記第１の人物における第３の第１人物返答情報及び第４の第１人物返答情報を検索し、検索した当該第３の第１人物返答情報又は当該第４の第１人物返答情報のうち一方を選択可能な表示形態で、前記表示部に表示するよう制御し、
前記第１人物返答出力ステップにおいて、
前記返答候補出力ステップにて前記表示部に表示された前記第３の第１人物返答情報及び前記第４の第１人物返答情報のうち、前記利用者により前記入力部を介して前記第３の第１人物返答情報が選択された場合、当該第３の第１人物返答情報を前記第１の人物が前記第２の人物に対して返答する表示形態で、前記表示部に表示するように制御するが、或いは、前記利用者により前記入力部を介して前記第４の第１人物返答情報が選択された場合、当該第４の第１人物返答情報を前記第１の人物が前記第２の人物に対して返答する表示形態で、前記表示部に表示するように制御することを特徴とする請求項１４に記載の語学学習方法。
【請求項１６】
前記発言候補出力ステップにおいて、
前記第１の人物から前記第２の人物に対する発言の候補として、前記会話情報記憶手段に記憶された前記会話情報から前記第３の使用順で整理された前記第１の人物における第４の第１人物発言情報及び第５の第１人物発言情報を検索し、検索した当該第４の第１人物発言情報又は当該第５の第１人物発言情報のうち一方を選択可能な表示形態で、前記表示部に表示するよう制御し、
前記第１人物発言出力ステップにおいて、
前記発言候補出力ステップにて前記表示部に表示された前記第４の第１人物発言情報及び前記第５の第１人物発言情報のうち、前記利用者により前記入力部を介して前記第４の第１人物発言情報が選択された場合、当該第４の第１人物発言情報を前記第１の人物が前記第２の人物に対して発言する表示形態で、前記表示部に表示するように制御するか、或いは、前記利用者により前記入力部を介して前記第５の第１人物発言情報が選択された場合、当該第５の第１人物発言情報を前記第１の人物が前記第２の人物に対して発言する表示形態で、前記表示部に表示するように制御することを特徴とする請求項１５に記載の語学学習方法。
【請求項１７】
前記語学学習装置は、音声入力部を更に備え、
前記返答候補出力ステップにて前記表示部に表示された返答の候補、及び、前記発言候補出力ステップにて前記表示部に表示された発言の候補は、前記利用者により前記音声入力部を介して入力される音声に応じて選択される請求項１４乃至１６に記載の語学学習方法。
【請求項１８】
前記語学学習装置は、音声出力部を更に備え、
前記会話情報記憶手段に記憶された前記発言情報及び前記返答情報は、前記音声出力部を介して出力される請求項１３乃至１７に記載の語学学習方法。
【請求項１９】
制御部と記憶部と入力部と表示部とを少なくとも備えた語学学習装置において実行される語学学習方法であって、
前記記憶部は、
発言情報と当該発言情報に対応する返答情報とを対応付けた複数の会話情報であって、実際の会話における使用順で整理された会話情報を人物毎に記憶する会話情報記憶手段、を備え、
前記制御部において実行される、
利用者により前記入力部を介して第２の人物が選択された場合、前記会話情報記憶手段に記憶された前記会話情報から第１の使用順で整理された第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、
前記第１人物発言出力ステップにて前記表示部に表示された前記第１の第１人物発言情報に対する前記第２の人物の返答の候補として、前記会話情報記憶手段に記憶された前記会話情報から前記第１の使用順で整理された前記第２の人物における第１の第２人物返答情報及び第２の第２人物返答情報を検索し、検索した当該第１の第２人物返答情報又は当該第２の第２人物返答情報のうち一方を選択可能な表示形態で、前記表示部に表示するよう制御する返答候補出力ステップと、
前記返答候補出力ステップにて前記表示部に表示された前記第１の第２人物返答情報及び前記第２の第２人物返答情報のうち、前記利用者により前記入力部を介して前記第１の第２人物返答情報が選択された場合、当該第１の第２人物返答情報を前記第２の人物が前記第１の人物に対して返答する表示形態で、前記表示部に表示するように制御するか、或いは、前記利用者により前記入力部を介して前記第２の第２人物返答情報が選択された場合、当該第２の第２人物返答情報を前記第２の人物が前記第１の人物に対して返答する表示形態で、前記表示部に表示するように制御する第２人物返答出力ステップと、
を含むことを特徴とする語学学習方法。
【請求項２０】
前記制御部において実行される、
前記第２の人物から前記第１の人物に対する発言の候補として、前記会話情報記憶手段に記憶された前記会話情報から前記第１の使用順で整理された前記第２の人物における第１の第２人物発言情報及び第２の第２人物発言情報を検索し、検索した当該第１の第２人物発言情報又は当該第２の第２人物発言情報のうち一方を選択可能な表示形態で、前記表示部に表示するよう制御する発言候補出力ステップと、
前記発言候補出力ステップにて前記表示部に表示された前記第１の第２人物発言情報及び前記第２の第２人物発言情報のうち、前記利用者により前記入力部を介して前記第１の第２人物発言情報が選択された場合、当該第１の第２人物発言情報を前記第２の人物が前記第１の人物に対して発言する表示形態で、前記表示部に表示するように制御するか、或いは、前記利用者により前記入力部を介して前記第２の第２人物発言情報が選択された場合、当該第２の第２人物発言情報を前記第２の人物が前記第１の人物に対して発言する表示形態で、前記表示部に表示するように制御する第２人物発言出力ステップと、
を更に含むことを特徴とする請求項１９に記載の語学学習方法。
【請求項２１】
前記制御部において実行される、
前記第２人物発言出力ステップにて前記第１の第２人物発言情報が前記表示部に表示された場合、当該第１の第２人物発言情報に対する前記第１の人物の返答として、前記会話情報記憶手段に記憶された前記会話情報から第２の使用順で整理された前記第１の人物における第１の第１人物返答情報を検索し、検索した当該第１の第１人物返答情報を、前記第１の人物が前記第２の人物に対して返答する表示形態で、前記表示部に表示するように制御するか、或いは、
前記第２人物発言出力ステップにて前記第２の第２人物発言情報が前記表示部に表示された場合、当該第２の第２人物発言情報に対する前記第１の人物の返答として、前記会話情報記憶手段に記憶された前記会話情報から前記第２の使用順で整理された前記第１の人物における第２の第１人物返答情報を検索し、検索した当該第２の第１人物返答情報を、前記第１の人物が前記第２の人物に対して返答する表示形態で、前記表示部に表示するように制御する第１人物返答出力ステップ、
を更に含み、
前記第１人物発言出力ステップにおいて、
前記会話情報記憶手段に記憶された前記会話情報から前記第２の使用順で整理された前記第１の人物における第２の第１人物発言情報を検索し、検索した当該第２の第１人物発言情報を、前記第１の人物が第２の人物に対して発言する表示形態で、前記表示部に表示するよう制御し、
前記返答候補出力ステップにおいて、
前記第１人物発言出力ステップにて前記表示部に表示された前記第２の第１人物発言情報に対する前記第２の人物の返答の候補として、前記会話情報記憶手段に記憶された前記会話情報から前記第２の使用順で整理された前記第２の人物における第３の第２人物返答情報及び第４の第２人物返答情報を検索し、検索した当該第３の第２人物返答情報又は当該第４の第２人物返答情報のうち一方を選択可能な表示形態で、前記表示部に表示するよう制御し、
前記第２人物返答出力ステップにおいて、
前記返答候補出力ステップにて前記表示部に表示された前記第３の第２人物返答情報及び前記第４の第２人物返答情報のうち、前記利用者により前記入力部を介して前記第３の第２人物返答情報が選択された場合、当該第３の第２人物返答情報を前記第２の人物が前記第１の人物に対して返答する表示形態で、前記表示部に表示するように制御するか、或いは、前記利用者により前記入力部を介して前記第４の第２人物返答情報が選択された場合、当該第４の第２人物返答情報を前記第２の人物が前記第１の人物に対して返答する表示形態で、前記表示部に表示するように制御することを特徴とする請求項２０に記載の語学学習方法。
【請求項２２】
前記発言候補出力ステップにおいて、
前記第２の人物から前記第１の人物に対する発言の候補として、前記会話情報記憶手段に記憶された前記会話情報から第３の使用順で整理された前記第２の人物における第３の第２人物発言情報及び第４の第２人物発言情報を検索し、検索した当該第３の第２人物発言情報又は当該第４の第２人物発言情報のうち一方を選択可能な表示形態で、前記表示部に表示するよう制御し、
前記第２人物発言出力ステップにおいて、
前記発言候補出力ステップにて前記表示部に表示された前記第３の第２人物発言情報及び前記第４の第２人物発言情報のうち、前記利用者により前記入力部を介して前記第３の第２人物発言情報が選択された場合、当該第３の第１人物発言情報を前記第２の人物が前記第１の人物に対して発言する表示形態で、前記表示部に表示するように制御するか、或いは、前記利用者により前記入力部を介して前記第４の第２人物発言情報が選択された場合、当該第４の第２人物発言情報を前記第２の人物が前記第１の人物に対して発言する表示形態で、前記表示部に表示するように制御することを特徴とする請求項２１に記載の語学学習方法。
【請求項２３】
前記語学学習装置は、音声入力部を更に備え、
前記返答候補出力ステップにて前記表示部に表示された返答の候補、及び、前記発言候補出力ステップにて前記表示部に表示された発言の候補は、前記利用者により前記音声入力部を介して入力される音声に応じて選択される請求項２０乃至２２に記載の語学学習方法。
【請求項２４】
前記語学学習装置は、音声出力部を更に備え、
前記会話情報記憶手段に記憶された前記発言情報及び前記返答情報は、前記音声出力部を介して出力される請求項１９乃至２３に記載の語学学習方法。
【請求項２５】
制御部と記憶部と入力部と表示部とを少なくとも備えた語学学習装置に実行させるためのプログラムであって、
前記記憶部は、
発言情報と当該発言情報に対応する返答情報とを対応付けた複数の会話情報であって、実際の会話における使用順で整理された会話情報を人物毎に記憶する会話情報記憶手段、を備え、
前記制御部において、
利用者により前記入力部を介して第１の人物が選択された場合、前記会話情報記憶手段に記憶された前記会話情報から第１の使用順で整理された前記第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、
前記第１人物発言出力ステップにて前記表示部に表示された前記第１の第１人物発言情報に対する前記第２の人物の返答として、前記会話情報記憶手段に記憶された前記会話情報から前記第１の使用順で整理された前記第２の人物における第１の第２人物返答情報を検索し、検索した当該第１の第２人物返答情報を、前記第２の人物が前記第１の人物に対して返答する表示形態で、前記表示部に表示するように制御する第２人物返答出力ステップと、
前記会話情報記憶手段に記憶された前記会話情報から前記第１の使用順で整理された前記第２の人物における第１の第２人物発言情報を検索し、検索した当該第１の第２人物発言情報を、前記第２の人物が前記第１の人物に対して発言する表示形態で、前記表示部に表示するよう制御する第２人物発言出力ステップと、
前記第２人物発言出力ステップにて前記表示部に表示された前記第１の第２人物発言情報に対する前記第１の人物の返答の候補として、前記会話情報記憶手段に記憶された前記会話情報から第２の使用順で整理された前記第１の人物における第１の第１人物返答情報及び第２の第１人物返答情報を検索し、検索した当該第１の第１人物返答情報又は当該第２の第１人物返答情報のうち一方を選択可能な表示形態で、前記表示部に表示するよう制御する返答候補出力ステップと、
前記返答候補出力ステップにて前記表示部に表示された前記第１の第１人物返答情報及び前記第２の第１人物返答情報のうち、前記利用者により前記入力部を介して前記第１の第１人物返答情報が選択された場合、当該第１の第１人物返答情報を前記第１の人物が前記第２の人物に対して返答する表示形態で、前記表示部に表示するように制御するか、或いは、前記利用者により前記入力部を介して前記第２の第１人物返答情報が選択された場合、当該第２の第１人物返答情報を前記第１の人物が前記第２の人物に対して返答する表示形態で、前記表示部に表示するように制御する第１人物返答出力ステップと、
を実行させるためのプログラム。
【請求項２６】
前記制御部において、
前記第１の人物から前記第２の人物に対する発言の候補として、前記会話情報記憶手段に記憶された前記会話情報から前記第２の使用順で整理された前記第１の人物における第２の第１人物発言情報及び第３の第１人物発言情報を検索し、検索した当該第２の第１人物発言情報又は当該第３の第１人物発言情報のうち一方を選択可能な表示形態で、前記表示部に表示するよう制御する発言候補出力ステップと、
を更に実行させ、
前記第１人物発言出力ステップにおいて、
前記発言候補出力ステップにて前記表示部に表示された前記第２の第１人物発言情報及び前記第３の第１人物発言情報のうち、前記利用者により前記入力部を介して前記第２の第１人物発言情報が選択された場合、当該第２の第１人物発言情報を前記第１の人物が前記第２の人物に対して発言する表示形態で、前記表示部に表示するように制御するか、或いは、前記利用者により前記入力部を介して前記第３の第１人物発言情報が選択された場合、当該第３の第１人物発言情報を前記第１の人物が前記第２の人物に対して発言する表示形態で、前記表示部に表示するように制御することを特徴とする請求項２５に記載のプログラム。
【請求項２７】
前記第２人物返答出力ステップにおいて、
前記第１人物発言出力ステップにて前記第２の第１人物発言情報が前記表示部に表示された場合、当該第２の第１人物発言情報に対する前記第２の人物の返答として、前記会話情報記憶手段に記憶された前記会話情報から前記第２の使用順で整理された前記第２の人物における第２の第２人物返答情報を検索し、検索した当該第２の第２人物返答情報を、前記第２の人物が前記第１の人物に対して返答する表示形態で、前記表示部に表示するように制御するか、或いは、
前記第１人物発言出力ステップにて前記第３の第１人物発言情報が前記表示部に表示された場合、当該第３の第１人物発言情報に対する前記第２の人物の返答として、前記会話情報記憶手段に記憶された前記会話情報から前記第２の使用順で整理された前記第２の人物における第３の第２人物返答情報を検索し、検索した当該第３の第２人物返答情報を、前記第２の人物が前記第１の人物に対して返答する表示形態で、前記表示部に表示するように制御し、
前記第２人物発言出力ステップにおいて、
前記会話情報記憶手段に記憶された前記会話情報から前記第２の使用順で整理された前記第２の人物における第２の第２人物発言情報を検索し、検索した当該第２の第２人物発言情報を、前記第２の人物が前記第１の人物に対して発言する表示形態で、前記表示部に表示するよう制御し、
前記返答候補出力ステップにおいて、
前記第２人物発言出力ステップにて前記表示部に表示された前記第２の第２人物発言情報に対する前記第１の人物の返答の候補として、前記会話情報記憶手段に記憶された前記会話情報から第３の使用順で整理された前記第１の人物における第３の第１人物返答情報及び第４の第１人物返答情報を検索し、検索した当該第３の第１人物返答情報又は当該第４の第１人物返答情報のうち一方を選択可能な表示形態で、前記表示部に表示するよう制御し、
前記第１人物返答出力ステップにおいて、
前記返答候補出力ステップにて前記表示部に表示された前記第３の第１人物返答情報及び前記第４の第１人物返答情報のうち、前記利用者により前記入力部を介して前記第３の第１人物返答情報が選択された場合、当該第３の第１人物返答情報を前記第１の人物が前記第２の人物に対して返答する表示形態で、前記表示部に表示するように制御するか、或いは、前記利用者により前記入力部を介して前記第４の第１人物返答情報が選択された場合、当該第４の第１人物返答情報を前記第１の人物が前記第２の人物に対して返答する表示形態で、前記表示部に表示するように制御することを特徴とする請求項２６に記載のプログラム。
【請求項２８】
前記発言候補出力ステップにおいて、
前記第１の人物から前記第２の人物に対する発言の候補として、前記会話情報記憶手段に記憶された前記会話情報から前記第３の使用順で整理された前記第１の人物における第４の第１人物発言情報及び第５の第１人物発言情報を検索し、検索した当該第４の第１人物発言情報又は当該第５の第１人物発言情報のうち一方を選択可能な表示形態で、前記表示部に表示するよう制御し、
前記第１人物発言出力ステップにおいて、
前記発言候補出力ステップにて前記表示部に表示された前記第４の第１人物発言情報及び前記第５の第１人物発言情報のうち、前記利用者により前記入力部を介して前記第４の第１人物発言情報が選択された場合、当該第４の第１人物発言情報を前記第１の人物が前記第２の人物に対して発言する表示形態で、前記表示部に表示するように制御するか、或いは、前記利用者により前記入力部を介して前記第５の第１人物発言情報が選択された場合、当該第５の第１人物発言情報を前記第１の人物が前記第２の人物に対して発言する表示形態で、前記表示部に表示するように制御することを特徴とする請求項２７に記載のプログラム。
【請求項２９】
前記語学学習装置は、音声入力部を更に備え、
前記返答候補出力ステップにて前記表示部に表示された返答の候補、及び、前記発言候補出力ステップにて前記表示部に表示された発言の候補は、前記利用者により前記音声入力部を介して入力される音声に応じて選択される請求項２６乃至２８に記載のプログラム。
【請求項３０】
前記語学学習装置は、音声出力部を更に備え、
前記会話情報記憶手段に記憶された前記発言情報及び前記返答情報は、前記音声出力部を介して出力される請求項２５乃至２８に記載のプログラム。
【請求項３１】
制御部と記憶部と入力部と表示部とを少なくとも備えた語学学習装置に実行させるためのプログラムであって、
前記記憶部は、
発言情報と当該発言情報に対応する返答情報とを対応付けた複数の会話情報であって、実際の会話における使用順で整理された会話情報を人物毎に記憶する会話情報記憶手段、を備え、
前記制御部において、
利用者により前記入力部を介して第２の人物が選択された場合、前記会話情報記憶手段に記憶された前記会話情報から第１の使用順で整理された第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、
前記第１人物発言出力ステップにて前記表示部に表示された前記第１の第１人物発言情報に対する前記第２の人物の返答の候補として、前記会話情報記憶手段に記憶された前記会話情報から前記第１の使用順で整理された前記第２の人物における第１の第２人物返答情報及び第２の第２人物返答情報を検索し、検索した当該第１の第２人物返答情報又は当該第２の第２人物返答情報のうち一方を選択可能な表示形態で、前記表示部に表示するよう制御する返答候補出力ステップと、
前記返答候補出力ステップにて前記表示部に表示された前記第１の第２人物返答情報及び前記第２の第２人物返答情報のうち、前記利用者により前記入力部を介して前記第１の第２人物返答情報が選択された場合、当該第１の第２人物返答情報を前記第２の人物が前記第１の人物に対して返答する表示形態で、前記表示部に表示するように制御するか、或いは、前記利用者により前記入力部を介して前記第２の第２人物返答情報が選択された場合、当該第２の第２人物返答情報を前記第２の人物が前記第１の人物に対して返答する表示形態で、前記表示部に表示するように制御する第２人物返答出力ステップと、
を実行させるためのプログラム。
【請求項３２】
前記制御部において、
前記第２の人物から前記第１の人物に対する発言の候補として、前記会話情報記憶手段に記憶された前記会話情報から前記第１の使用順で整理された前記第２の人物における第１の第２人物発言情報及び第２の第２人物発言情報を検索し、検索した当該第１の第２人物発言情報又は当該第２の第２人物発言情報のうち一方を選択可能な表示形態で、前記表示部に表示するよう制御する発言候補出力ステップと、
前記発言候補出力ステップにて前記表示部に表示された前記第１の第２人物発言情報及び前記第２の第２人物発言情報のうち、前記利用者により前記入力部を介して前記第１の第２人物発言情報が選択された場合、当該第１の第２人物発言情報を前記第２の人物が前記第１の人物に対して発言する表示形態で、前記表示部に表示するように制御するか、或いは、前記利用者により前記入力部を介して前記第２の第２人物発言情報が選択された場合、当該第２の第２人物発言情報を前記第２の人物が前記第１の人物に対して発言する表示形態で、前記表示部に表示するように制御する第２人物発言出力ステップと、
を更に実行させることを特徴とする請求項３１に記載のプログラム。
【請求項３３】
前記制御部において、
前記第２人物発言出力ステップにて前記第１の第２人物発言情報が前記表示部に表示された場合、当該第１の第２人物発言情報に対する前記第１の人物の返答として、前記会話情報記憶手段に記憶された前記会話情報から第２の使用順で整理された前記第１の人物における第１の第１人物返答情報を検索し、検索した当該第１の第１人物返答情報を、前記第１の人物が前記第２の人物に対して返答する表示形態で、前記表示部に表示するように制御するか、或いは、
前記第２人物発言出力ステップにて前記第２の第２人物発言情報が前記表示部に表示された場合、当該第２の第２人物発言情報に対する前記第１の人物の返答として、前記会話情報記憶手段に記憶された前記会話情報から前記第２の使用順で整理された前記第１の人物における第２の第１人物返答情報を検索し、検索した当該第２の第１人物返答情報を、前記第１の人物が前記第２の人物に対して返答する表示形態で、前記表示部に表示するように制御する第１人物返答出力ステップと、
を更に実行させ、
前記第１人物発言出力ステップにおいて、
前記会話情報記憶手段に記憶された前記会話情報から前記第２の使用順で整理された前記第１の人物における第２の第１人物発言情報を検索し、検索した当該第２の第１人物発言情報を、前記第１の人物が第２の人物に対して発言する表示形態で、前記表示部に表示するよう制御し、
前記返答候補出力ステップにおいて、
前記第１人物発言出力ステップにて前記表示部に表示された前記第２の第１人物発言情報に対する前記第２の人物の返答の候補として、前記会話情報記憶手段に記憶された前記会話情報から前記第２の使用順で整理された前記第２の人物における第３の第２人物返答情報及び第４の第２人物返答情報を検索し、検索した当該第３の第２人物返答情報又は当該第４の第２人物返答情報のうち一方を選択可能な表示形態で、前記表示部に表示するよう制御し、
前記第２人物返答出力ステップにおいて、
前記返答候補出力ステップにて前記表示部に表示された前記第３の第２人物返答情報及び前記第４の第２人物返答情報のうち、前記利用者により前記入力部を介して前記第３の第２人物返答情報が選択された場合、当該第３の第２人物返答情報を前記第２の人物が前記第１の人物に対して返答する表示形態で、前記表示部に表示するように制御するか、或いは、前記利用者により前記入力部を介して前記第４の第２人物返答情報が選択された場合、当該第４の第２人物返答情報を前記第２の人物が前記第１の人物に対して返答する表示形態で、前記表示部に表示するように制御することを特徴とする請求項３２に記載のプログラム。
【請求項３４】
前記発言候補出力ステップにおいて、
前記第２の人物から前記第１の人物に対する発言の候補として、前記会話情報記憶手段に記憶された前記会話情報から第３の使用順で整理された前記第２の人物における第３の第２人物発言情報及び第４の第２人物発言情報を検索し、検索した当該第３の第２人物発言情報又は当該第４の第２人物発言情報のうち一方を選択可能な表示形態で、前記表示部に表示するよう制御し、
前記第２人物発言出力ステップにおいて、
前記発言候補出力ステップにて前記表示部に表示された前記第３の第２人物発言情報及び前記第４の第２人物発言情報のうち、前記利用者により前記入力部を介して前記第３の第２人物発言情報が選択された場合、当該第３の第１人物発言情報を前記第２の人物が前記第１の人物に対して発言する表示形態で、前記表示部に表示するように制御するか、或いは、前記利用者により前記入力部を介して前記第４の第２人物発言情報が選択された場合、当該第４の第２人物発言情報を前記第２の人物が前記第１の人物に対して発言する表示形態で、前記表示部に表示するように制御することを特徴とする請求項３３に記載のプログラム。
【請求項３５】
前記語学学習装置は、音声入力部を更に備え、
前記返答候補出力ステップにて前記表示部に表示された返答の候補、及び、前記発言候補出力ステップにて前記表示部に表示された発言の候補は、前記利用者により前記音声入力部を介して入力される音声に応じて選択される請求項３２乃至３４に記載のプログラム。
【請求項３６】
前記語学学習装置は、音声出力部を更に備え、
前記会話情報記憶手段に記憶された前記発言情報及び前記返答情報は、前記音声出力部を介して出力される請求項３１乃至３５に記載のプログラム。
【発明の詳細な説明】
【技術分野】
【０００１】  本発明は、語学学習装置、語学学習方法、及びプログラムに関する。
【背景技術】
【０００２】  従来から、語学習得をサポートするための種々の語学学習装置が多数報告されている（特許文献１乃至５等）。
【先行技術文献】
【非特許文献】
【０００３】
【特許文献１】特開２０１５−４９３７２
【特許文献２】特開２０１５−４１０４６
【特許文献３】特開２０１５−３６７９８
【特許文献４】特開２０１４−３８１４０
【特許文献５】特開２０１４−３８２６４
【発明が解決しようとする課題】
【０００４】  ところで、語学習得においては、会話が続きコミュニケーションを容易に図れるような状況を構築することが重要である。これは、会話が続くことで語学習得を目指す利用者の学習意欲を促すことができ、また、実際に使用するフレーズは、コミュニケーションの中で習得しやすいからである。一方で、会話が続かない場合、語学習得を目指す利用者の学習意欲は減少しやすい。また、ある特定の状況下における質問に対する回答を問答形式で多数習得したとしても、実際にコミュニケーションをとる状況下で、多数習得した回答から適切なフレーズを適切なタイミングで使用することは難しい。
【０００５】  従来の語学学習装置として、特許文献１〜５に示すような技術が報告されているが、ある特定の状況下における質問に対する回答を問答形式で多数習得させることを意図した技術が多く、語学習得を目指す利用者が会話を容易に続けられるような状況を構築することを意図されたものではない。上述のように、会話が続くことで語学習得を目指す利用者の学習効率の促進化を図れることを考えると、従来の語学学習装置は、学習効率の促進化の面で更なる改善の余地がある。
【０００６】  本発明は、上記の事情に鑑みてなされたものであって、語学習得を望む利用者に対して容易に会話を続けさせることができ、コミュニケーションを通じて利用者の学習効率をより促進させることができる語学学習装置、語学学習方法、及びプログラムを提供することを目的とする。
【課題を解決するための手段】
【０００７】  このような目的を達成するために、本発明の語学学習装置は、制御部と記憶部と入力部と表示部とを少なくとも備えた語学学習装置であって、前記記憶部は、発言情報と当該発言情報に対応する返答情報とを対応付けた複数の会話情報であって、実際の会話における使用順で整理された会話情報を人物毎に記憶する会話情報記憶手段、を備え、前記制御部は、利用者により前記入力部を介して第１の人物が選択された場合、前記会話情報記憶手段に記憶された前記会話情報から第１の使用順で整理された前記第１の人物における第１の第１人物発言情報を検索し、検索した当該第１の第１人物発言情報を、前記第１の人物が第２の人物に対して発言する表示形態で、前記表示部に表示するよう制御する第１人物発言出力手段と、前記第１人物発言出力手段により前記表示部に表示された前記第１の第１人物発言情報に対する前記第２の人物の返答として、前記会話情報記憶手段に記憶された前記会話情報から前記第１の使用順で整理された前記第２の人物における第１の第２人物返答情報を検索し、検索した当該第１の第２人物返答情報を、前記第２の人物が前記第１の人物に対して返答する表示形態で、前記表示部に表示するように制御する第２人物返答出力手段と、前記会話情報記憶手段に記憶された前記会話情報から前記第１の使用順で整理された前記第２の人物における第１の第２人物発言情報を検索し、検索した当該第１の第２人物発言情報を、前記第２の人物が前記第１の人物に対して発言する表示形態で、前記表示部に表示するよう制御する第２人物発言出力手段と、前記第２人物発言出力手段により前記表示部に表示された前記第１の第２人物発言情報に対する前記第１の人物の返答の候補として、前記会話情報記憶手段に記憶された前記会話情報から第２の使用順で整理された前記第１の人物における第１の第１人物返答情報及び第２の第１人物返答情報を検索し、検索した当該第１の第１人物返答情報又は当該第２の第１人物返答情報のうち一方を選択可能な表示形態で、前記表示部に表示するよう制御する返答候補出力手段と、前記返答候補出力手段により前記表示部に表示された前記第１の第１人物返答情報及び前記第２の第１人物返答情報のうち、前記利用者により前記入力部を介して前記第１の第１人物返答情報が選択された場合、当該第１の第１人物返答情報を前記第１の人物が前記第２の人物に対して返答する表示形態で、前記表示部に表示するように制御するか、或いは、前記利用者により前記入力部を介して前記第２の第１人物返答情報が選択された場合、当該第２の第１人物返答情報を前記第１の人物が前記第２の人物に対して返答する表示形態で、前記表示部に表示するように制御する第１人物返答出力手段と、を備えたことを特徴とする。
【０００８】  上記語学学習装置では、前記制御部は、前記第１の人物から前記第２の人物に対する発言の候補として、前記会話情報記憶手段に記憶された前記会話情報から前記第２の使用順で整理された前記第１の人物における第２の第１人物発言情報及び第３の第１人物発言情報を検索し、検索した当該第２の第１人物発言情報又は当該第３の第１人物発言情報のうち一方を選択可能な表示形態で、前記表示部に表示するよう制御する発言候補出力手段と、を更に備え、前記第１人物発言出力手段は、前記発言候補出力手段により前記表示部に表示された前記第２の第１人物発言情報及び前記第３の第１人物発言情報のうち、前記利用者により前記入力部を介して前記第２の第１人物発言情報が選択された場合、当該第２の第１人物発言情報を前記第１の人物が前記第２の人物に対して発言する表示形態で、前記表示部に表示するように制御するか、或いは、前記利用者により前記入力部を介して前記第３の第１人物発言情報が選択された場合、当該第３の第１人物発言情報を前記第１の人物が前記第２の人物に対して発言する表示形態で、前記表示部に表示するように制御することが好ましい。
【０００９】  上記語学学習装置では、前記第２人物返答出力手段は、前記第１人物発言出力手段により前記第２の第１人物発言情報が前記表示部に表示された場合、当該第２の第１人物発言情報に対する前記第２の人物の返答として、前記会話情報記憶手段に記憶された前記会話情報から前記第２の使用順で整理された前記第２の人物における第２の第２人物返答情報を検索し、検索した当該第２の第２人物返答情報を、前記第２の人物が前記第１の人物に対して返答する表示形態で、前記表示部に表示するように制御するか、或いは、前記第１人物発言出力手段により前記第３の第１人物発言情報が前記表示部に表示された場合、当該第３の第１人物発言情報に対する前記第２の人物の返答として、前記会話情報記憶手段に記憶された前記会話情報から前記第２の使用順で整理された前記第２の人物における第３の第２人物返答情報を検索し、検索した当該第３の第２人物返答情報を、前記第２の人物が前記第１の人物に対して返答する表示形態で、前記表示部に表示するように制御し、前記第２人物発言出力手段は、前記会話情報記憶手段に記憶された前記会話情報から前記第２の使用順で整理された前記第２の人物における第２の第２人物発言情報を検索し、検索した当該第２の第２人物発言情報を、前記第２の人物が前記第１の人物に対して発言する表示形態で、前記表示部に表示するよう制御し、前記返答候補出力手段は、前記第２人物発言出力手段により前記表示部に表示された前記第２の第２人物発言情報に対する前記第１の人物の返答の候補として、前記会話情報記憶手段に記憶された前記会話情報から第３の使用順で整理された前記第１の人物における第３の第１人物返答情報及び第４の第１人物返答情報を検索し、検索した当該第３の第１人物返答情報又は当該第４の第１人物返答情報のうち一方を選択可能な表示形態で、前記表示部に表示するよう制御し、前記第１人物返答出力手段は、前記返答候補出力手段により前記表示部に表示された前記第３の第１人物返答情報及び前記第４の第１人物返答情報のうち、前記利用者により前記入力部を介して前記第３の第１人物返答情報が選択された場合、当該第３の第１人物返答情報を前記第１の人物が前記第２の人物に対して返答する表示形態で、前記表示部に表示するように制御するか、或いは、前記利用者により前記入力部を介して前記第４の第１人物返答情報が選択された場合、当該第４の第１人物返答情報を前記第１の人物が前記第２の人物に対して返答する表示形態で、前記表示部に表示するように制御することが好ましい。
【００１０】  上記語学学習装置では、前記発言候補出力手段は、前記第１の人物から前記第２の人物に対する発言の候補として、前記会話情報記憶手段に記憶された前記会話情報から前記第３の使用順で整理された前記第１の人物における第４の第１人物発言情報及び第５の第１人物発言情報を検索し、検索した当該第４の第１人物発言情報又は当該第５の第１人物発言情報のうち一方を選択可能な表示形態で、前記表示部に表示するよう制御し、前記第１人物発言出力手段は、前記発言候補出力手段により前記表示部に表示された前記第４の第１人物発言情報及び前記第５の第１人物発言情報のうち、前記利用者により前記入力部を介して前記第４の第１人物発言情報が選択された場合、当該第４の第１人物発言情報を前記第１の人物が前記第２の人物に対して発言する表示形態で、前記表示部に表示するように制御するか、或いは、前記利用者により前記入力部を介して前記第５の第１人物発言情報が選択された場合、当該第５の第１人物発言情報を前記第１の人物が前記第２の人物に対して発言する表示形態で、前記表示部に表示するように制御することが好ましい。
【００１１】  上記語学学習装置では、音声入力部を更に備え、前記返答候補出力手段により前記表示部に表示された返答の候補、及び、前記発言候補出力手段により前記表示部に表示された発言の候補は、前記利用者により前記音声入力部を介して入力される音声に応じて選択されることが好ましい。
【００１２】  上記語学学習装置では、音声出力部を更に備え、前記会話情報記憶手段に記憶された前記会話情報は、前記音声出力部を介して出力されることが好ましい。
【００１３】  また、本発明の語学学習装置は、制御部と記憶部と入力部と表示部とを少なくとも備えた語学学習装置であって、前記記憶部は、発言情報と当該発言情報に対応する返答情報とを対応付けた複数の会話情報であって、実際の会話における使用順で整理された会話情報を人物毎に記憶する会話情報記憶手段、を備え、前記制御部は、利用者により前記入力部を介して第２の人物が選択された場合、前記会話情報記憶手段に記憶された前記会話情報から第１の使用順で整理された第１の人物における第１の第１人物発言情報を検索し、検索した当該第１の第１人物発言情報を、前記第１の人物が第２の人物に対して発言する表示形態で、前記表示部に表示するよう制御する第１人物発言出力手段と、前記第１人物発言出力手段により前記表示部に表示された前記第１の第１人物発言情報に対する前記第２の人物の返答の候補として、前記会話情報記憶手段に記憶された前記会話情報から前記第１の使用順で整理された前記第２の人物における第１の第２人物返答情報及び第２の第２人物返答情報を検索し、検索した当該第１の第２人物返答情報又は当該第２の第２人物返答情報のうち一方を選択可能な表示形態で、前記表示部に表示するよう制御する返答候補出力手段と、前記返答候補出力手段により前記表示部に表示された前記第１の第２人物返答情報及び前記第２の第２人物返答情報のうち、前記利用者により前記入力部を介して前記第１の第２人物返答情報が選択された場合、当該第１の第２人物返答情報を前記第２の人物が前記第１の人物に対して返答する表示形態で、前記表示部に表示するように制御するか、或いは、前記利用者により前記入力部を介して前記第２の第２人物返答情報が選択された場合、当該第２の第２人物返答情報を前記第２の人物が前記第１の人物に対して返答する表示形態で、前記表示部に表示するように制御する第２人物返答出力手段と、を備えたことを特徴とする。
【００１４】  上記語学学習装置では、前記制御部は、前記第２の人物から前記第１の人物に対する発言の候補として、前記会話情報記憶手段に記憶された前記会話情報から前記第１の使用順で整理された前記第２の人物における第１の第２人物発言情報及び第２の第２人物発言情報を検索し、検索した当該第１の第２人物発言情報又は当該第２の第２人物発言情報のうち一方を選択可能な表示形態で、前記表示部に表示するよう制御する発言候補出力手段と、前記発言候補出力手段により前記表示部に表示された前記第１の第２人物発言情報及び前記第２の第２人物発言情報のうち、前記利用者により前記入力部を介して前記第１の第２人物発言情報が選択された場合、当該第１の第２人物発言情報を前記第２の人物が前記第１の人物に対して発言する表示形態で、前記表示部に表示するように制御するか、或いは、前記利用者により前記入力部を介して前記第２の第２人物発言情報が選択された場合、当該第２の第２人物発言情報を前記第２の人物が前記第１の人物に対して発言する表示形態で、前記表示部に表示するように制御する第２人物発言出力手段、を更に備えることが好ましい。
【００１５】  上記語学学習装置では、前記制御部は、前記第２人物発言出力手段により前記第１の第２人物発言情報が前記表示部に表示された場合、当該第１の第２人物発言情報に対する前記第１の人物の返答として、前記会話情報記憶手段に記憶された前記会話情報から第２の使用順で整理された前記第１の人物における第１の第１人物返答情報を検索し、検索した当該第１の第１人物返答情報を、前記第１の人物が前記第２の人物に対して返答する表示形態で、前記表示部に表示するように制御するか、或いは、前記第２人物発言出力手段により前記第２の第２人物発言情報が前記表示部に表示された場合、当該第２の第２人物発言情報に対する前記第１の人物の返答として、前記会話情報記憶手段に記憶された前記会話情報から前記第２の使用順で整理された前記第１の人物における第２の第１人物返答情報を検索し、検索した当該第２の第１人物返答情報を、前記第１の人物が前記第２の人物に対して返答する表示形態で、前記表示部に表示するように制御する第１人物返答出力手段、を更に備え、前記第１人物発言出力手段は、前記会話情報記憶手段に記憶された前記会話情報から前記第２の使用順で整理された前記第１の人物における第２の第１人物発言情報を検索し、検索した当該第２の第１人物発言情報を、前記第１の人物が第２の人物に対して発言する表示形態で、前記表示部に表示するよう制御し、前記返答候補出力手段は、前記第１人物発言出力手段により前記表示部に表示された前記第２の第１人物発言情報に対する前記第２の人物の返答の候補として、前記会話情報記憶手段に記憶された前記会話情報から前記第２の使用順で整理された前記第２の人物における第３の第２人物返答情報及び第４の第２人物返答情報を検索し、検索した当該第３の第２人物返答情報又は当該第４の第２人物返答情報のうち一方を選択可能な表示形態で、前記表示部に表示するよう制御し、前記第２人物返答出力手段は、前記返答候補出力手段により前記表示部に表示された前記第３の第２人物返答情報及び前記第４の第２人物返答情報のうち、前記利用者により前記入力部を介して前記第３の第２人物返答情報が選択された場合、当該第３の第２人物返答情報を前記第２の人物が前記第１の人物に対して返答する表示形態で、前記表示部に表示するように制御するか、或いは、前記利用者により前記入力部を介して前記第４の第２人物返答情報が選択された場合、当該第４の第２人物返答情報を前記第２の人物が前記第１の人物に対して返答する表示形態で、前記表示部に表示するように制御することが好ましい。
【００１６】  上記語学学習装置では、前記発言候補出力手段は、前記第２の人物から前記第１の人物に対する発言の候補として、前記会話情報記憶手段に記憶された前記会話情報から第３の使用順で整理された前記第２の人物における第３の第２人物発言情報及び第４の第２人物発言情報を検索し、検索した当該第３の第２人物発言情報又は当該第４の第２人物発言情報のうち一方を選択可能な表示形態で、前記表示部に表示するよう制御し、前記第２人物発言出力手段は、前記発言候補出力手段により前記表示部に表示された前記第３の第２人物発言情報及び前記第４の第２人物発言情報のうち、前記利用者により前記入力部を介して前記第３の第２人物発言情報が選択された場合、当該第３の第１人物発言情報を前記第２の人物が前記第１の人物に対して発言する表示形態で、前記表示部に表示するように制御するか、或いは、前記利用者により前記入力部を介して前記第４の第２人物発言情報が選択された場合、当該第４の第２人物発言情報を前記第２の人物が前記第１の人物に対して発言する表示形態で、前記表示部に表示するように制御することが好ましい。
【００１７】  上記語学学習装置では、音声入力部を更に備え、前記返答候補出力手段により前記表示部に表示された返答の候補、及び、前記発言候補出力手段により前記表示部に表示された発言の候補は、前記利用者により前記音声入力部を介して入力される音声に応じて選択されることが好ましい。
【００１８】  上記語学学習装置では、音声出力部を更に備え、前記会話情報記憶手段に記憶された前記会話情報は、前記音声出力部を介して出力されることが好ましい。
【００１９】  また、本発明の語学学習方法は、制御部と記憶部と入力部と表示部とを少なくとも備えた語学学習装置において実行される語学学習方法であって、前記記憶部は、発言情報と当該発言情報に対応する返答情報とを対応付けた複数の会話情報であって、実際の会話における使用順で整理された会話情報を人物毎に記憶する会話情報記憶手段、を備え、前記制御部において実行される、利用者により前記入力部を介して第１の人物が選択された場合、前記会話情報記憶手段に記憶された前記会話情報から第１の使用順で整理された前記第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、前記第１人物発言出力ステップにて前記表示部に表示された前記第１の第１人物発言情報に対する前記第２の人物の返答として、前記会話情報記憶手段に記憶された前記会話情報から前記第１の使用順で整理された前記第２の人物における第１の第２人物返答情報を検索し、検索した当該第１の第２人物返答情報を、前記第２の人物が前記第１の人物に対して返答する表示形態で、前記表示部に表示するように制御する第２人物返答出力ステップと、前記会話情報記憶手段に記憶された前記会話情報から前記第１の使用順で整理された前記第２の人物における第１の第２人物発言情報を検索し、検索した当該第１の第２人物発言情報を、前記第２の人物が前記第１の人物に対して発言する表示形態で、前記表示部に表示するよう制御する第２人物発言出力ステップと、前記第２人物発言出力ステップにて前記表示部に表示された前記第１の第２人物発言情報に対する前記第１の人物の返答の候補として、前記会話情報記憶手段に記憶された前記会話情報から第２の使用順で整理された前記第１の人物における第１の第１人物返答情報及び第２の第１人物返答情報を検索し、検索した当該第１の第１人物返答情報又は当該第２の第１人物返答情報のうち一方を選択可能な表示形態で、前記表示部に表示するよう制御する返答候補出力ステップと、前記返答候補出力ステップにて前記表示部に表示された前記第１の第１人物返答情報及び前記第２の第１人物返答情報のうち、前記利用者により前記入力部を介して前記第１の第１人物返答情報が選択された場合、当該第１の第１人物返答情報を前記第１の人物が前記第２の人物に対して返答する表示形態で、前記表示部に表示するように制御するか、或いは、前記利用者により前記入力部を介して前記第２の第１人物返答情報が選択された場合、当該第２の第１人物返答情報を前記第１の人物が前記第２の人物に対して返答する表示形態で、前記表示部に表示するように制御する第１人物返答出力ステップと、を含むことを特徴とする。
【００２０】  上記語学学習方法では、前記制御部において実行される、前記第１の人物から前記第２の人物に対する発言の候補として、前記会話情報記憶手段に記憶された前記会話情報から前記第２の使用順で整理された前記第１の人物における第２の第１人物発言情報及び第３の第１人物発言情報を検索し、検索した当該第２の第１人物発言情報又は当該第３の第１人物発言情報のうち一方を選択可能な表示形態で、前記表示部に表示するよう制御する発言候補出力ステップと、を更に含み、前記第１人物発言出力ステップにおいて、前記発言候補出力ステップにて前記表示部に表示された前記第２の第１人物発言情報及び前記第３の第１人物発言情報のうち、前記利用者により前記入力部を介して前記第２の第１人物発言情報が選択された場合、当該第２の第１人物発言情報を前記第１の人物が前記第２の人物に対して発言する表示形態で、前記表示部に表示するように制御するか、或いは、前記利用者により前記入力部を介して前記第３の第１人物発言情報が選択された場合、当該第３の第１人物発言情報を前記第１の人物が前記第２の人物に対して発言する表示形態で、前記表示部に表示するように制御することが好ましい。
【００２１】  上記語学学習方法では、前記第２人物返答出力ステップにおいて、前記第１人物発言出力ステップにて前記第２の第１人物発言情報が前記表示部に表示された場合、当該第２の第１人物発言情報に対する前記第２の人物の返答として、前記会話情報記憶手段に記憶された前記会話情報から前記第２の使用順で整理された前記第２の人物における第２の第２人物返答情報を検索し、検索した当該第２の第２人物返答情報を、前記第２の人物が前記第１の人物に対して返答する表示形態で、前記表示部に表示するように制御するか、或いは、前記第１人物発言出力ステップにて前記第３の第１人物発言情報が前記表示部に表示された場合、当該第３の第１人物発言情報に対する前記第２の人物の返答として、前記会話情報記憶手段に記憶された前記会話情報から前記第２の使用順で整理された前記第２の人物における第３の第２人物返答情報を検索し、検索した当該第３の第２人物返答情報を、前記第２の人物が前記第１の人物に対して返答する表示形態で、前記表示部に表示するように制御し、前記第２人物発言出力ステップにおいて、前記会話情報記憶手段に記憶された前記会話情報から前記第２の使用順で整理された前記第２の人物における第２の第２人物発言情報を検索し、検索した当該第２の第２人物発言情報を、前記第２の人物が前記第１の人物に対して発言する表示形態で、前記表示部に表示するよう制御し、前記返答候補出力ステップにおいて、前記第２人物発言出力ステップにて前記表示部に表示された前記第２の第２人物発言情報に対する前記第１の人物の返答の候補として、前記会話情報記憶手段に記憶された前記会話情報から第３の使用順で整理された前記第１の人物における第３の第１人物返答情報及び第４の第１人物返答情報を検索し、検索した当該第３の第１人物返答情報又は当該第４の第１人物返答情報のうち一方を選択可能な表示形態で、前記表示部に表示するよう制御し、前記第１人物返答出力ステップにおいて、前記返答候補出力ステップにて前記表示部に表示された前記第３の第１人物返答情報及び前記第４の第１人物返答情報のうち、前記利用者により前記入力部を介して前記第３の第１人物返答情報が選択された場合、当該第３の第１人物返答情報を前記第１の人物が前記第２の人物に対して返答する表示形態で、前記表示部に表示するように制御するか、或いは、前記利用者により前記入力部を介して前記第４の第１人物返答情報が選択された場合、当該第４の第１人物返答情報を前記第１の人物が前記第２の人物に対して返答する表示形態で、前記表示部に表示するように制御することが好ましい。
【００２２】  上記語学学習方法では、前記発言候補出力ステップにおいて、前記第１の人物から前記第２の人物に対する発言の候補として、前記会話情報記憶手段に記憶された前記会話情報から前記第３の使用順で整理された前記第１の人物における第４の第１人物発言情報及び第５の第１人物発言情報を検索し、検索した当該第４の第１人物発言情報又は当該第５の第１人物発言情報のうち一方を選択可能な表示形態で、前記表示部に表示するよう制御し、前記第１人物発言出力ステップにおいて、前記発言候補出力ステップにて前記表示部に表示された前記第４の第１人物発言情報及び前記第５の第１人物発言情報のうち、前記利用者により前記入力部を介して前記第４の第１人物発言情報が選択された場合、当該第４の第１人物発言情報を前記第１の人物が前記第２の人物に対して発言する表示形態で、前記表示部に表示するように制御するか、或いは、前記利用者により前記入力部を介して前記第５の第１人物発言情報が選択された場合、当該第５の第１人物発言情報を前記第１の人物が前記第２の人物に対して発言する表示形態で、前記表示部に表示するように制御することが好ましい。
【００２３】  上記語学学習方法では、前記語学学習装置は、音声入力部を更に備え、前記返答候補出力ステップにて前記表示部に表示された返答の候補、及び、前記発言候補出力ステップにて前記表示部に表示された発言の候補は、前記利用者により前記音声入力部を介して入力される音声に応じて選択されることが好ましい。
【００２４】  上記語学学習方法では、前記語学学習装置は、音声出力部を更に備え、前記会話情報記憶手段に記憶された前記会話情報は、前記音声出力部を介して出力されることが好ましい。
【００２５】  また、本発明の語学学習方法は、制御部と記憶部と入力部と表示部とを少なくとも備えた語学学習装置において実行される語学学習方法であって、前記記憶部は、発言情報と当該発言情報に対応する返答情報とを対応付けた複数の会話情報であって、実際の会話における使用順で整理された会話情報を人物毎に記憶する会話情報記憶手段、を備え、前記制御部において実行される、利用者により前記入力部を介して第２の人物が選択された場合、前記会話情報記憶手段に記憶された前記会話情報から第１の使用順で整理された第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、前記第１人物発言出力ステップにて前記表示部に表示された前記第１の第１人物発言情報に対する前記第２の人物の返答の候補として、前記会話情報記憶手段に記憶された前記会話情報から前記第１の使用順で整理された前記第２の人物における第１の第２人物返答情報及び第２の第２人物返答情報を検索し、検索した当該第１の第２人物返答情報又は当該第２の第２人物返答情報のうち一方を選択可能な表示形態で、前記表示部に表示するよう制御する返答候補出力ステップと、前記返答候補出力ステップにて前記表示部に表示された前記第１の第２人物返答情報及び前記第２の第２人物返答情報のうち、前記利用者により前記入力部を介して前記第１の第２人物返答情報が選択された場合、当該第１の第２人物返答情報を前記第２の人物が前記第１の人物に対して返答する表示形態で、前記表示部に表示するように制御するか、或いは、前記利用者により前記入力部を介して前記第２の第２人物返答情報が選択された場合、当該第２の第２人物返答情報を前記第２の人物が前記第１の人物に対して返答する表示形態で、前記表示部に表示するように制御する第２人物返答出力ステップと、を含むことを特徴とする。
【００２６】  上記語学学習方法では、前記制御部において実行される、前記第２の人物から前記第１の人物に対する発言の候補として、前記会話情報記憶手段に記憶された前記会話情報から前記第１の使用順で整理された前記第２の人物における第１の第２人物発言情報及び第２の第２人物発言情報を検索し、検索した当該第１の第２人物発言情報又は当該第２の第２人物発言情報のうち一方を選択可能な表示形態で、前記表示部に表示するよう制御する発言候補出力ステップと、前記発言候補出力ステップにて前記表示部に表示された前記第１の第２人物発言情報及び前記第２の第２人物発言情報のうち、前記利用者により前記入力部を介して前記第１の第２人物発言情報が選択された場合、当該第１の第２人物発言情報を前記第２の人物が前記第１の人物に対して発言する表示形態で、前記表示部に表示するように制御するか、或いは、前記利用者により前記入力部を介して前記第２の第２人物発言情報が選択された場合、当該第２の第２人物発言情報を前記第２の人物が前記第１の人物に対して発言する表示形態で、前記表示部に表示するように制御する第２人物発言出力ステップと、を更に含むことが好ましい。
【００２７】  上記語学学習方法では、前記制御部において実行される、前記第２人物発言出力ステップにて前記第１の第２人物発言情報が前記表示部に表示された場合、当該第１の第２人物発言情報に対する前記第１の人物の返答として、前記会話情報記憶手段に記憶された前記会話情報から第２の使用順で整理された前記第１の人物における第１の第１人物返答情報を検索し、検索した当該第１の第１人物返答情報を、前記第１の人物が前記第２の人物に対して返答する表示形態で、前記表示部に表示するように制御するか、或いは、前記第２人物発言出力ステップにて前記第２の第２人物発言情報が前記表示部に表示された場合、当該第２の第２人物発言情報に対する前記第１の人物の返答として、前記会話情報記憶手段に記憶された前記会話情報から前記第２の使用順で整理された前記第１の人物における第２の第１人物返答情報を検索し、検索した当該第２の第１人物返答情報を、前記第１の人物が前記第２の人物に対して返答する表示形態で、前記表示部に表示するように制御する第１人物返答出力ステップ、を更に含み、前記第１人物発言出力ステップにおいて、前記会話情報記憶手段に記憶された前記会話情報から前記第２の使用順で整理された前記第１の人物における第２の第１人物発言情報を検索し、検索した当該第２の第１人物発言情報を、前記第１の人物が第２の人物に対して発言する表示形態で、前記表示部に表示するよう制御し、前記返答候補出力ステップにおいて、前記第１人物発言出力ステップにて前記表示部に表示された前記第２の第１人物発言情報に対する前記第２の人物の返答の候補として、前記会話情報記憶手段に記憶された前記会話情報から前記第２の使用順で整理された前記第２の人物における第３の第２人物返答情報及び第４の第２人物返答情報を検索し、検索した当該第３の第２人物返答情報又は当該第４の第２人物返答情報のうち一方を選択可能な表示形態で、前記表示部に表示するよう制御し、前記第２人物返答出力ステップにおいて、前記返答候補出力ステップにて前記表示部に表示された前記第３の第２人物返答情報及び前記第４の第２人物返答情報のうち、前記利用者により前記入力部を介して前記第３の第２人物返答情報が選択された場合、当該第３の第２人物返答情報を前記第２の人物が前記第１の人物に対して返答する表示形態で、前記表示部に表示するように制御するか、或いは、前記利用者により前記入力部を介して前記第４の第２人物返答情報が選択された場合、当該第４の第２人物返答情報を前記第２の人物が前記第１の人物に対して返答する表示形態で、前記表示部に表示するように制御することが好ましい。
【００２８】  上記語学学習方法では、前記発言候補出力ステップにおいて、前記第２の人物から前記第１の人物に対する発言の候補として、前記会話情報記憶手段に記憶された前記会話情報から第３の使用順で整理された前記第２の人物における第３の第２人物発言情報及び第４の第２人物発言情報を検索し、検索した当該第３の第２人物発言情報又は当該第４の第２人物発言情報のうち一方を選択可能な表示形態で、前記表示部に表示するよう制御し、前記第２人物発言出力ステップにおいて、前記発言候補出力ステップにて前記表示部に表示された前記第３の第２人物発言情報及び前記第４の第２人物発言情報のうち、前記利用者により前記入力部を介して前記第３の第２人物発言情報が選択された場合、当該第３の第１人物発言情報を前記第２の人物が前記第１の人物に対して発言する表示形態で、前記表示部に表示するように制御するか、或いは、前記利用者により前記入力部を介して前記第４の第２人物発言情報が選択された場合、当該第４の第２人物発言情報を前記第２の人物が前記第１の人物に対して発言する表示形態で、前記表示部に表示するように制御することが好ましい。
【００２９】  上記語学学習方法では、前記語学学習装置は、音声入力部を更に備え、前記返答候補出力ステップにて前記表示部に表示された返答の候補、及び、前記発言候補出力ステップにて前記表示部に表示された発言の候補は、前記利用者により前記音声入力部を介して入力される音声に応じて選択されることが好ましい。
【００３０】  上記語学学習方法では、前記語学学習装置は、音声出力部を更に備え、前記会話情報記憶手段に記憶された前記会話情報は、前記音声出力部を介して出力されることが好ましい。
【００３１】  また、本発明のプログラムは、制御部と記憶部と入力部と表示部とを少なくとも備えた語学学習装置に実行させるためのプログラムであって、前記記憶部は、発言情報と当該発言情報に対応する返答情報とを対応付けた複数の会話情報であって、実際の会話における使用順で整理された会話情報を人物毎に記憶する会話情報記憶手段、を備え、前記制御部において、利用者により前記入力部を介して第１の人物が選択された場合、前記会話情報記憶手段に記憶された前記会話情報から第１の使用順で整理された前記第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、前記第１人物発言出力ステップにて前記表示部に表示された前記第１の第１人物発言情報に対する前記第２の人物の返答として、前記会話情報記憶手段に記憶された前記会話情報から前記第１の使用順で整理された前記第２の人物における第１の第２人物返答情報を検索し、検索した当該第１の第２人物返答情報を、前記第２の人物が前記第１の人物に対して返答する表示形態で、前記表示部に表示するように制御する第２人物返答出力ステップと、前記会話情報記憶手段に記憶された前記会話情報から前記第１の使用順で整理された前記第２の人物における第１の第２人物発言情報を検索し、検索した当該第１の第２人物発言情報を、前記第２の人物が前記第１の人物に対して発言する表示形態で、前記表示部に表示するよう制御する第２人物発言出力ステップと、前記第２人物発言出力ステップにて前記表示部に表示された前記第１の第２人物発言情報に対する前記第１の人物の返答の候補として、前記会話情報記憶手段に記憶された前記会話情報から第２の使用順で整理された前記第１の人物における第１の第１人物返答情報及び第２の第１人物返答情報を検索し、検索した当該第１の第１人物返答情報又は当該第２の第１人物返答情報のうち一方を選択可能な表示形態で、前記表示部に表示するよう制御する返答候補出力ステップと、前記返答候補出力ステップにて前記表示部に表示された前記第１の第１人物返答情報及び前記第２の第１人物返答情報のうち、前記利用者により前記入力部を介して前記第１の第１人物返答情報が選択された場合、当該第１の第１人物返答情報を前記第１の人物が前記第２の人物に対して返答する表示形態で、前記表示部に表示するように制御するか、或いは、前記利用者により前記入力部を介して前記第２の第１人物返答情報が選択された場合、当該第２の第１人物返答情報を前記第１の人物が前記第２の人物に対して返答する表示形態で、前記表示部に表示するように制御する第１人物返答出力ステップと、を実行させることを特徴とする。
【００３２】  上記プログラムでは、前記制御部において、前記第１の人物から前記第２の人物に対する発言の候補として、前記会話情報記憶手段に記憶された前記会話情報から前記第２の使用順で整理された前記第１の人物における第２の第１人物発言情報及び第３の第１人物発言情報を検索し、検索した当該第２の第１人物発言情報又は当該第３の第１人物発言情報のうち一方を選択可能な表示形態で、前記表示部に表示するよう制御する発言候補出力ステップと、を更に実行させ、前記第１人物発言出力ステップにおいて、前記発言候補出力ステップにて前記表示部に表示された前記第２の第１人物発言情報及び前記第３の第１人物発言情報のうち、前記利用者により前記入力部を介して前記第２の第１人物発言情報が選択された場合、当該第２の第１人物発言情報を前記第１の人物が前記第２の人物に対して発言する表示形態で、前記表示部に表示するように制御するか、或いは、前記利用者により前記入力部を介して前記第３の第１人物発言情報が選択された場合、当該第３の第１人物発言情報を前記第１の人物が前記第２の人物に対して発言する表示形態で、前記表示部に表示するように制御することが好ましい。
【００３３】  上記プログラムでは、前記第２人物返答出力ステップにおいて、前記第１人物発言出力ステップにて前記第２の第１人物発言情報が前記表示部に表示された場合、当該第２の第１人物発言情報に対する前記第２の人物の返答として、前記会話情報記憶手段に記憶された前記会話情報から前記第２の使用順で整理された前記第２の人物における第２の第２人物返答情報を検索し、検索した当該第２の第２人物返答情報を、前記第２の人物が前記第１の人物に対して返答する表示形態で、前記表示部に表示するように制御するか、或いは、前記第１人物発言出力ステップにて前記第３の第１人物発言情報が前記表示部に表示された場合、当該第３の第１人物発言情報に対する前記第２の人物の返答として、前記会話情報記憶手段に記憶された前記会話情報から前記第２の使用順で整理された前記第２の人物における第３の第２人物返答情報を検索し、検索した当該第３の第２人物返答情報を、前記第２の人物が前記第１の人物に対して返答する表示形態で、前記表示部に表示するように制御し、前記第２人物発言出力ステップにおいて、前記会話情報記憶手段に記憶された前記会話情報から前記第２の使用順で整理された前記第２の人物における第２の第２人物発言情報を検索し、検索した当該第２の第２人物発言情報を、前記第２の人物が前記第１の人物に対して発言する表示形態で、前記表示部に表示するよう制御し、前記返答候補出力ステップにおいて、前記第２人物発言出力ステップにて前記表示部に表示された前記第２の第２人物発言情報に対する前記第１の人物の返答の候補として、前記会話情報記憶手段に記憶された前記会話情報から第３の使用順で整理された前記第１の人物における第３の第１人物返答情報及び第４の第１人物返答情報を検索し、検索した当該第３の第１人物返答情報又は当該第４の第１人物返答情報のうち一方を選択可能な表示形態で、前記表示部に表示するよう制御し、前記第１人物返答出力ステップにおいて、前記返答候補出力ステップにて前記表示部に表示された前記第３の第１人物返答情報及び前記第４の第１人物返答情報のうち、前記利用者により前記入力部を介して前記第３の第１人物返答情報が選択された場合、当該第３の第１人物返答情報を前記第１の人物が前記第２の人物に対して返答する表示形態で、前記表示部に表示するように制御するか、或いは、前記利用者により前記入力部を介して前記第４の第１人物返答情報が選択された場合、当該第４の第１人物返答情報を前記第１の人物が前記第２の人物に対して返答する表示形態で、前記表示部に表示するように制御することが好ましい。
【００３４】  上記プログラムでは、前記発言候補出力ステップにおいて、前記第１の人物から前記第２の人物に対する発言の候補として、前記会話情報記憶手段に記憶された前記会話情報から前記第３の使用順で整理された前記第１の人物における第４の第１人物発言情報及び第５の第１人物発言情報を検索し、検索した当該第４の第１人物発言情報又は当該第５の第１人物発言情報のうち一方を選択可能な表示形態で、前記表示部に表示するよう制御し、前記第１人物発言出力ステップにおいて、前記発言候補出力ステップにて前記表示部に表示された前記第４の第１人物発言情報及び前記第５の第１人物発言情報のうち、前記利用者により前記入力部を介して前記第４の第１人物発言情報が選択された場合、当該第４の第１人物発言情報を前記第１の人物が前記第２の人物に対して発言する表示形態で、前記表示部に表示するように制御するか、或いは、前記利用者により前記入力部を介して前記第５の第１人物発言情報が選択された場合、当該第５の第１人物発言情報を前記第１の人物が前記第２の人物に対して発言する表示形態で、前記表示部に表示するように制御することが好ましい。
【００３５】  上記プログラムでは、前記語学学習装置は、音声入力部を更に備え、前記返答候補出力ステップにて前記表示部に表示された返答の候補、及び、前記発言候補出力ステップにて前記表示部に表示された発言の候補は、前記利用者により前記音声入力部を介して入力される音声に応じて選択されることが好ましい。
【００３６】  上記プログラムでは、前記語学学習装置は、音声出力部を更に備え、前記会話情報記憶手段に記憶された前記会話情報は、前記音声出力部を介して出力されることが好ましい。
【００３７】  また、本発明のプログラムは、制御部と記憶部と入力部と表示部とを少なくとも備えた語学学習装置に実行させるためのプログラムであって、前記記憶部は、発言情報と当該発言情報に対応する返答情報とを対応付けた複数の会話情報であって、実際の会話における使用順で整理された会話情報を人物毎に記憶する会話情報記憶手段、を備え、前記制御部において、利用者により前記入力部を介して第２の人物が選択された場合、前記会話情報記憶手段に記憶された前記会話情報から第１の使用順で整理された第１の人物における第１の第１人物発言情報を検索し、検索した当該第１の第１人物発言情報を、前記第１の人物が第２の人物に対して発言する表示形態で、前記表示部に表示するよう制御する第１人物発言出力ステップと、前記第１人物発言出力ステップにて前記表示部に表示された前記第１の第１人物発言情報に対する前記第２の人物の返答の候補として、前記会話情報記憶手段に記憶された前記会話情報から前記第１の使用順で整理された前記第２の人物における第１の第２人物返答情報及び第２の第２人物返答情報を検索し、検索した当該第１の第２人物返答情報又は当該第２の第２人物返答情報のうち一方を選択可能な表示形態で、前記表示部に表示するよう制御する返答候補出力ステップと、前記返答候補出力ステップにて前記表示部に表示された前記第１の第２人物返答情報及び前記第２の第２人物返答情報のうち、前記利用者により前記入力部を介して前記第１の第２人物返答情報が選択された場合、当該第１の第２人物返答情報を前記第２の人物が前記第１の人物に対して返答する表示形態で、前記表示部に表示するように制御するが、或いは、前記利用者により前記入力部を介して前記第２の第２人物返答情報が選択された場合、当該第２の第２人物返答情報を前記第２の人物が前記第１の人物に対して返答する表示形態で、前記表示部に表示するように制御する第２人物返答出力ステップと、を実行させることを特徴とする。
【００３８】  上記プログラムでは、前記制御部において、前記第２の人物から前記第１の人物に対する発言の候補として、前記会話情報記憶手段に記憶された前記会話情報から前記第１の使用順で整理された前記第２の人物における第１の第２人物発言情報及び第２の第２人物発言情報を検索し、検索した当該第１の第２人物発言情報又は当該第２の第２人物発言情報のうち一方を選択可能な表示形態で、前記表示部に表示するよう制御する発言候補出力ステップと、前記発言候補出力ステップにて前記表示部に表示された前記第１の第２人物発言情報及び前記第２の第２人物発言情報のうち、前記利用者により前記入力部を介して前記第１の第２人物発言情報が選択された場合、当該第１の第２人物発言情報を前記第２の人物が前記第１の人物に対して発言する表示形態で、前記表示部に表示するように制御するか、或いは、前記利用者により前記入力部を介して前記第２の第２人物発言情報が選択された場合、当該第２の第２人物発言情報を前記第２の人物が前記第１の人物に対して発言する表示形態で、前記表示部に表示するように制御する第２人物発言出力ステップと、を更に実行させることが好ましい。
【００３９】  上記プログラムでは、前記制御部において、前記第２人物発言出力ステップにて前記第１の第２人物発言情報が前記表示部に表示された場合、当該第１の第２人物発言情報に対する前記第１の人物の返答として、前記会話情報記憶手段に記憶された前記会話情報から第２の使用順で整理された前記第１の人物における第１の第１人物返答情報を検索し、検索した当該第１の第１人物返答情報を、前記第１の人物が前記第２の人物に対して返答する表示形態で、前記表示部に表示するように制御するか、或いは、前記第２人物発言出力ステップにて前記第２の第２人物発言情報が前記表示部に表示された場合、当該第２の第２人物発言情報に対する前記第１の人物の返答として、前記会話情報記憶手段に記憶された前記会話情報から前記第２の使用順で整理された前記第１の人物における第２の第１人物返答情報を検索し、検索した当該第２の第１人物返答情報を、前記第１の人物が前記第２の人物に対して返答する表示形態で、前記表示部に表示するように制御する第１人物返答出力ステップと、を更に実行させ、前記第１人物発言出力ステップにおいて、前記会話情報記憶手段に記憶された前記会話情報から前記第２の使用順で整理された前記第１の人物における第２の第１人物発言情報を検索し、検索した当該第２の第１人物発言情報を、前記第１の人物が第２の人物に対して発言する表示形態で、前記表示部に表示するよう制御し、前記返答候補出力ステップにおいて、前記第１人物発言出力ステップにて前記表示部に表示された前記第２の第１人物発言情報に対する前記第２の人物の返答の候補として、前記会話情報記憶手段に記憶された前記会話情報から前記第２の使用順で整理された前記第２の人物における第３の第２人物返答情報及び第４の第２人物返答情報を検索し、検索した当該第３の第２人物返答情報又は当該第４の第２人物返答情報のうち一方を選択可能な表示形態で、前記表示部に表示するよう制御し、前記第２人物返答出力ステップにおいて、前記返答候補出力ステップにて前記表示部に表示された前記第３の第２人物返答情報及び前記第４の第２人物返答情報のうち、前記利用者により前記入力部を介して前記第３の第２人物返答情報が選択された場合、当該第３の第２人物返答情報を前記第２の人物が前記第１の人物に対して返答する表示形態で、前記表示部に表示するように制御するか、或いは、前記利用者により前記入力部を介して前記第４の第２人物返答情報が選択された場合、当該第４の第２人物返答情報を前記第２の人物が前記第１の人物に対して返答する表示形態で、前記表示部に表示するように制御することが好ましい。
【００４０】  上記プログラムでは、前記発言候補出力ステップにおいて、前記第２の人物から前記第１の人物に対する発言の候補として、前記会話情報記憶手段に記憶された前記会話情報から第３の使用順で整理された前記第２の人物における第３の第２人物発言情報及び第４の第２人物発言情報を検索し、検索した当該第３の第２人物発言情報又は当該第４の第２人物発言情報のうち一方を選択可能な表示形態で、前記表示部に表示するよう制御し、前記第２人物発言出力ステップにおいて、前記発言候補出力ステップにて前記表示部に表示された前記第３の第２人物発言情報及び前記第４の第２人物発言情報のうち、前記利用者により前記入力部を介して前記第３の第２人物発言情報が選択された場合、当該第３の第１人物発言情報を前記第２の人物が前記第１の人物に対して発言する表示形態で、前記表示部に表示するように制御するか、或いは、前記利用者により前記入力部を介して前記第４の第２人物発言情報が選択された場合、当該第４の第２人物発言情報を前記第２の人物が前記第１の人物に対して発言する表示形態で、前記表示部に表示するように制御することが好ましい。
【００４１】  上記プログラムでは、前記語学学習装置は、音声入力部を更に備え、前記返答候補出力ステップにて前記表示部に表示された返答の候補、及び、前記発言候補出力ステップにて前記表示部に表示された発言の候補は、前記利用者により前記音声入力部を介して入力される音声に応じて選択されることが好ましい。
【００４２】  上記プログラムでは、前記語学学習装置は、音声出力部を更に備え、前記会話情報記憶手段に記憶された前記会話情報は、前記音声出力部を介して出力されること好ましい。
【発明の効果】
【００４３】  この発明によれば、本発明の語学学習装置、語学学習方法、及びプログラムは、語学習得を望む利用者に対して容易に会話を続けさせることができ、コミュニケーションを通じて利用者の学習効率をより促進させることができるという効果を奏する。
【図面の簡単な説明】
【００４４】
【図１】  図１は、実施形態に係る語学学習装置の構成の一例を示すブロック図である。
【図２】  図２は、実施形態に係る画面例の一例を示す図である。
【図３】  図３は、実施形態に係る語学学習装置の基本処理の一例を示すフローチャートである。
【図４】  図４は、実施形態に係る画面例の一例を示す図である。
【図５】  図５は、実施形態に係る画面例の一例を示す図である。
【図６】  図６は、実施形態に係る画面例の一例を示す図である。
【図７Ａ】  図７Ａは、実施形態に係る画面例の一例を示す図である。
【図７Ｂ】  図７Ｂは、実施形態に係る画面例の一例を示す図である。
【図８Ａ】  図８Ａは、実施形態に係る画面例の一例を示す図である。
【図８Ｂ】  図８Ｂは、実施形態に係る画面例の一例を示す図である。
【図９】  図９は、実施形態に係る画面例の一例を示す図である。
【図１０】  図１０は、実施形態に係る画面例の一例を示す図である。
【図１１】  図１１は、実施形態に係る画面例の一例を示す図である。
【図１２】  図１２は、実施形態に係る画面例の一例を示す図である。
【図１３】  図１３は、実施例に係る語学学習装置の処理の一例を示すフローチャートである。
【図１４】  図１４は、会話情報の選択過程を示す概念図である。
【図１５Ａ】  図１５Ａは、実施形態に係る会話情報データベースの一例を示す図である。
【図１５Ｂ】  図１５Ｂは、実施形態に係る会話情報データベースの一例を示す図である。
【図１５Ｃ】  図１５Ｃは、実施形態に係る会話情報データベースの一例を示す図である。
【発明を実施するための形態】
【００４５】  以下に、本発明にかかる語学学習装置、語学学習方法及びプログラムの実施形態を図面に基づいて詳細に説明する。なお、この実施形態によりこの発明が限定されるものではない。また、下記実施形態における構成要素には、当業者が置換可能かつ容易なもの、或いは実質的同一のものが含まれる。
【００４６】  まず、実施形態に係る語学学習装置の構成について図１を参照して説明する。ここで、図１は、実施形態に係る語学学習装置の構成の一例を示すブロック図である。
【００４７】  図１に示すように、語学学習装置１００は、ネットワーク３００を介して、サーバ装置４００と通信可能に接続して構成されている。
【００４８】  図１において、ネットワーク３００は、語学学習装置１００とサーバ装置４００とを相互に接続する機能を有し、例えば、インターネット等である。
【００４９】  図１において、サーバ装置４００は、ネットワーク３００を介して、語学学習装置１００と相互に接続され、語学学習装置１００の記憶部１０６において、会話情報データベース１０６ａに記憶される会話情報等のデータを提供する機能や、語学学習装置１００が語学学習プログラムを実行する際に必要となる各種データやプログラム等を提供する機能などを有する。ここで、サーバ装置４００のハードウェア構成は、一般に市販されるワークステーション、パーソナルコンピュータ等の情報処理装置およびその付属装置により構成していてもよい。また、サーバ装置４００の各機能は、サーバ装置４００のハードウェア構成中のＣＰＵ、ディスク装置、メモリ装置、入力装置、出力装置、通信制御装置等およびそれらを制御するプログラム等により実現される。
【００５０】  図１において、語学学習装置１００は、概略的に、制御部１０２と、通信制御インターフェース部１０４と、記憶部１０６と、入出力制御インターフェース部１０８と、入力部１１２と、表示部１１４と、音声出力部１１６と、音声入力部１１８と、を少なくとも備えて構成される。ここで、制御部１０２は、語学学習装置１００の全体を統括的に制御するＣＰＵ等である。また、通信制御インターフェース部１０４は、通信回線等に接続されるルータ等の通信装置（図示せず）に接続されるインターフェースである。また、記憶部１０６は、各種のデータベースやテーブルなどを格納する装置である。また、入出力制御インターフェース部１０８は、入力部１１２、表示部１１４、音声出力部１１６、及び音声入力部１１８に接続されるインターフェースである。これら語学学習装置１００の各部は任意の通信路を介して通信可能に接続されている。更に、この語学学習装置１００は、通信制御インターフェース部１０４を介して、ルータ等の通信装置および専用線等の有線または無線の通信回線などにより、ネットワーク３００に通信可能に接続されている。本実施形態において、語学学習装置１００は、パーソナルコンピュータ等の情報処理端末装置であってもよいし、携帯電話やスマートフォン等の携帯型の情報処理端末装置であってもよい。以下の実施形態では、一例として、語学学習装置１００が携帯型の情報処理端末装置であるスマートフォンである場合を例に挙げて説明する。
【００５１】  記憶部１０６に格納される各種のデータベースやテーブル（例えば、会話情報データベース１０６ａ等）は、固定ディスク装置等のストレージ手段である。例えば、記憶部１０６は、各種処理に用いる各種のプログラムやテーブルやファイルやデータベース等を格納する。
【００５２】  これら記憶部１０６の各構成要素のうち、会話情報データベース１０６ａは、サーバ装置３００から提供される会話情報を格納する会話情報記憶手段である。本実施形態において、会話情報データベース１０６ａは、発言情報と当該発言情報に対応する返答情報とを対応付けた複数の会話情報であって、実際の会話における使用順で整理された会話情報を人物毎に記憶する。会話情報データベース１０６ａに記憶される会話情報の一例について、図１５Ａ乃至図１５Ｃを参照して後述する。
【００５３】  また、図１において、通信制御インターフェース部１０４は、語学学習装置１００とネットワーク３００（またはルータ等の通信装置）との間における通信制御を行う。すなわち、通信制御インターフェース部１０４は、他の端末と通信回線を介してデータを通信する機能を有する。
【００５４】  また、図１において、入出力制御インターフェース部１０８は、入力部１１２、表示部１１４、音声出力部１１６、及び音声入力部１１８の制御を行う。ここで、入力部１１２としては、キーボード、マウス等を用いることができる。また、表示部１１４としては、モニタ（家庭用テレビを含む）等を用いることができる。また、音声出力部１１６としては、スピーカやブザー等を用いることができる。また、音声入力部１１８としては、マイク等を用いることができる。なお、語学学習装置１００がスマートフォン等の携帯型の情報処理端末装置である場合、入力部１１２と表示部１１４とはタッチパネル型で構成されてもよい。
【００５５】  また、図１において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、第１人物発言出力部１０２ａと、第２人物返答出力部１０２ｂと、第２人物発言出力部１０２ｃと、返答候補出力部１０２ｄと、第１人物返答出力部１０２ｅと、発言候補出力部１０２ｆを少なくとも備えて構成されている。
【００５６】  以下、図２及び図１５Ａ乃至図１５Ｃを適宜参照して、図１の制御部１０２における第１人物発言出力部１０２ａと、第２人物返答出力部１０２ｂと、第２人物発言出力部１０２ｃと、返答候補出力部１０２ｄと、第１人物返答出力部１０２ｅと、発言候補出力部１０２ｆの処理内容の一例について、詳細を説明する。ここで、図２は、実施形態に係る画面例の一例を示す図である。図１５Ａ乃至図１５Ｃは、実施形態に係る会話情報データベースの一例を示す図である。
【００５７】  図１において、第１人物発言出力部１０２ａは、利用者により入力部１１２を介して第１の人物が選択された場合、会話情報データベース１０６ａに記憶された会話情報から第１の使用順で整理された第１の人物における第１の第１人物発言情報を検索し、検索した当該第１の第１人物発言情報を、第１の人物が第２の人物に対して発言する表示形態で、表示部１１４に表示するよう制御する第１人物発言出力手段である。ここで、図２に示すように、語学学習装置１００の表示部１１４上の中段画面１１４−２の右側において、第１の第１人物発言情報（図２において、「Ｎｉｃｅ  ｔｏ  ｍｅｅｔ  ｙｏｕ．  はじめまして。」）は、第１の人物が中段画面１１４−２の左側における第２の人物に対して発言する表示形態（例えば、第１人物を起点とする吹き出し欄（バルーン）に含まれる表示形態）で、表示されている。これは、図１５Ａに示すように、第１の人物として、「質問者：休暇中の旅行者（はるか）」が選択された場合において、第１人物発言出力部１０２ａが、会話情報データベース１０６ａに記憶された会話情報から、第１の使用順「順番：１ｓｔ」で整理された、第１の第１人物発言情報「ＩＤ：１＿１」，「英語：Ｎｉｃｅ  ｔｏ  ｍｅｅｔ  ｙｏｕ．」，「和訳：はじめまして。」を検索した結果が表示されたものである。
【００５８】  第２人物返答出力部１０２ｂは、第１人物発言出力部１０２ａにより表示部１１４に表示された第１の第１人物発言情報に対する第２の人物の返答として、会話情報データベース１０６ａに記憶された会話情報から第１の使用順で整理された第２の人物における第１の第２人物返答情報を検索し、検索した当該第１の第２人物返答情報を、第２の人物が第１の人物に対して返答する表示形態で、表示部１１４に表示するように制御する第２人物返答出力手段である。ここで、図２に示すように、語学学習装置１００の表示部１１４上の中段画面１１４−２の左上側において、第１の第２人物返答情報（図２において、「Ｉｔ  ｉｓ  ａ  ｐｌｅａｓｕｒｅ  ｔｏ  ｍｅｅｔ  ｙｏｕ  ｔｏｏ．  会えて光栄だよ。」）は、第２の人物が中段画面１１４−２の右側における第１の人物に対して発言する表示形態（例えば、第２人物を起点とする吹き出し欄（バルーン）に含まれる表示形態）で、表示されている。これは、図１５Ｂに示すように、第１の人物として、「質問者：休暇中の旅行者（はるか）」が選択された場合において、第２の人物は、「回答者：初対面の男性（ジョニー）」となるため、第２人物返答出力部１０２ｂが、会話情報データベース１０６ａに記憶された会話情報から、第１の使用順「順番：１ｓｔ」で整理された、第１の第２人物返答情報「ＩＤ：１＿１＿１」，「英語：Ｉｔ  ｉｓ  ａ  ｐｌｅａｓｕｒｅ  ｔｏ  ｍｅｅｔ  ｙｏｕ  ｔｏｏ」，「和訳：会えて光栄だよ。」を検索した結果が表示されたものである。
【００５９】  第２人物発言出力部１０２ｃは、会話情報データベース１０６ａに記憶された会話情報から第１の使用順で整理された第２の人物における第１の第２人物発言情報を検索し、検索した当該第１の第２人物発言情報を、第２の人物が第１の人物に対して発言する表示形態で、表示部に表示するよう制御する第２人物発言出力手段である。ここで、図２に示すように、語学学習装置１００の表示部１１４上の中段画面１１４−２の左上側において、第１の第２人物発言情報（図２において、「Ｗｈｅｒｅ  ａｒｅ  ｙｏｕ  ｆｒｏｍ？  どこから来たの？」）は、第２の人物が中段画面１１４−２の右側における第１の人物に対して発言する表示形態で、表示されている。これは、図１５Ａに示すように、第１の人物として、「回答者：休暇中の旅行者（はるか）」が選択された場合において、第２の人物は、「質問者：初対面の男性（ジョニー）」となるため、  第２人物発言出力部１０２ｃが、会話情報データベース１０６ａに記憶された会話情報から、第１の使用順「順番：１ｓｔ」で整理された、第１の第２人物発言情報「ＩＤ：１＿６」，「英語：Ｗｈｅｒｅ  ａｒｅ  ｙｏｕ  ｆｒｏｍ？」，「和訳：どこから来たの？」を検索した結果が表示されたものである。
【００６０】  返答候補出力部１０２ｄは、第２人物発言出力部１０２ｃにより表示部１１４に表示された第１の第２人物発言情報に対する第１の人物の返答の候補として、会話情報データベース１０６ａに記憶された会話情報から第２の使用順で整理された第１の人物における第１の第１人物返答情報及び第２の第１人物返答情報を検索し、検索した当該第１の第１人物返答情報又は当該第２の第１人物返答情報のうち一方を選択可能な表示形態で、表示部１１４に表示するよう制御する返答候補出力手段である。ここで、図２に示すように、語学学習装置１００の表示部１１４上の下段画面１１４−３において、第１の第１人物返答情報（図２において、「ａ）Ｉ’ｍ  ｆｒｏｍ  Ｔｏｋｙｏ，Ｊａｐａｎ．  日本の東京から来ました。」）、及び、第２の第１人物返答情報は（図２において、「ｂ）Ｉ’ｍ  ｌｉｖｉｎｇ  ｉｎ  Ｔｏｋｙｏ．  東京に住んでいます。」）は、これら第１の第１人物返答情報又は第２の第１人物返答情報のうち一方を選択可能な表示形態（例えば、タッチパネル上でどちらかの返答情報を利用者がタッチしたことを検知するボタン形式の表示形態）で、表示されている。これは、図１５Ｂ及び図１５Ｃに示すように、第１の人物として、「回答者：休暇中の旅行者（はるか）」が選択された場合において、第２の人物は、「質問者：初対面の男性（ジョニー）」となるため、返答候補出力部１０２ｄが、会話情報データベース１０６ａに記憶された会話情報から、第１の使用順「順番：１ｓｔ」で整理された、第１の第１人物返答情報「ＩＤ：１＿６＿１」，「英語：Ｉ’ｍ  ｆｒｏｍ  Ｔｏｋｙｏ，Ｊａｐａｎ．」，「和訳：日本の東京から来ました。」を検索した結果（図１５Ｂ参照）、並びに、第２の第１人物返答情報「ＩＤ：１＿６＿２」，「英語：Ｉ’ｍ  ｌｉｖｉｎｇ  ｉｎ  Ｔｏｋｙｏ．」，「和訳：東京に住んでいます。」を検索した結果（図１５Ｃ参照）が表示されたものである。
【００６１】  第１人物返答出力部１０２ｅは、返答候補出力部１０２ｄにより表示部１１４に表示された第１の第１人物返答情報及び第２の第１人物返答情報のうち、利用者により入力部１１２を介して第１の第１人物返答情報が選択された場合、当該第１の第１人物返答情報を第１の人物が第２の人物に対して返答する表示形態で、表示部１１４に表示するように制御するか、或いは、利用者により入力部１１２を介して第２の第１人物返答情報が選択された場合、当該第２の第１人物返答情報を第１の人物が第２の人物に対して返答する表示形態で、表示部１１４に表示するように制御する第１人物返答出力手段である（後述する図１１等参照）。
【００６２】  発言候補出力部１０２ｆは、第１の人物から第２の人物に対する発言の候補として、会話情報データベース１０６ａに記憶された会話情報から第２の使用順で整理された第１の人物における第２の第１人物発言情報及び第３の第１人物発言情報を検索し、検索した当該第２の第１人物発言情報又は当該第３の第１人物発言情報のうち一方を選択可能な表示形態で、表示部１１４に表示するよう制御する発言候補出力手段である（後述する図１１等参照）。
【００６３】  続いて、このように構成された本実施形態における語学学習装置１００の処理の一例について、以下に、図３乃至図１２、及び、図１５Ａ乃至図１５Ｃを参照して詳細に説明する。ここで、図３は、実施形態に係る語学学習装置の基本処理の一例を示すフローチャートである。図４乃至図１２は、実施形態に係る画面例の一例を示す図である。
【００６４】  図３に示すように、語学学習装置１００の制御部１０２は、利用者により入力部１１２を介して選択されたモードに対応する語学学習プログラムを起動する（ステップＳＴ−１）。ここで、ステップＳＴ−１において、図４に示すように、語学学習装置１００の表示部１１４上の表示されたモード選択画面のうち、「会話モード」を選択するボタン（図４において（ｉ）が示すボタン）が、利用者により選択されるものとする。
【００６５】  そして、語学学習装置１００の制御部１０２は、利用者により入力部１１２を介して選択された場面に対応する会話モードにおける語学学習プログラムを設定する（ステップＳＴ−２）。ここで、ステップＳＴ−２において、図５に示すように、語学学習装置１００の表示部１１４上の表示された場面選択画面のうち、場面「初対面の人との出会い（初級）  Ｆｉｒｓｔ  Ｍｅｅｔｉｎｇ」を選択するボタン（図５において（ｉｉ）が示すボタン）が、利用者により選択されるものとする。
【００６６】  そして、語学学習装置１００の制御部１０２は、利用者により入力部１１２を介して選択された人物を利用者として設定し、この利用者がステップＳＴ−２の処理で選択された場面において行われる会話モードにおける語学学習プログラムを開始する（ステップＳＴ−３）。ここで、ステップＳＴ−２において、図６に示すように、語学学習装置１００の表示部１１４上の表示された人物選択領域（図６において（ｉｉｉ）が示す領域）内において、人物「休暇中の旅行者（はるか）」を選択するボタン（図６においてＡが示すボタン）が、利用者により選択されるものとする。なお、人物選択領域内において、人物「初対面の男性（ジョニー）」を選択するボタン（図６においてＢが示すボタン）が、利用者により選択された場合については、別途後述する。
【００６７】  そして、語学学習装置１００の制御部１０２は、以下、ステップＳＴ−４〜ステップＳＴ−６において、ステップＳＴ−７で会話が終了したと判定されるまで、上述の第１人物発言出力部１０２ａ、第２人物返答出力部１０２ｂ、第２人物発言出力部１０２ｃ、返答候補出力部１０２ｄ、第１人物返答出力部１０２ｅ、及び、発言候補出力部１０２ｆによる、会話情報出力処理（ステップＳＴ−４）と、候補出力処理（ステップＳＴ−５）、候補入力処理（ステップＳＴ−６）を繰り返し実行する。
【００６８】  例えば、ステップＳＴ−３において、利用者により入力部１１２を介して第１の人物として人物「休暇中の旅行者（はるか）」が選択された場合、第１人物発言出力部１０２ａは、会話情報データベース１０６ａに記憶された会話情報から第１の使用順（図１５Ａにおいて、「順番：１ｓｔ」）で整理された第１の人物における第１の第１人物発言情報（図１５Ａにおいて、「ＩＤ：１＿１」，「英語：Ｎｉｃｅ  ｔｏ  ｍｅｅｔ  ｙｏｕ．」，「和訳：はじめまして。」）を検索する。そして、図７Ａに示すように、第１人物発言出力部１０２ａは、検索した当該第１の第１人物発言情報（図７Ａにおいて、「Ｎｉｃｅ  ｔｏ  ｍｅｅｔ  ｙｏｕ．  はじめまして。」）を、第１の人物が第２の人物に対して発言する表示形態で、表示部１１４に表示するよう制御する。そして、第２人物返答出力部１０２ｂは、第１人物発言出力部１０２ａにより表示部１１４に表示された第１の第１人物発言情報に対する第２の人物の返答として、会話情報データベース１０６ａに記憶された会話情報から第１の使用順（図１５Ｂにおいて、「順番：１ｓｔ」）で整理された第２の人物における第１の第２人物返答情報（図１５Ｂにおいて、「ＩＤ：１＿１＿１」，「英語：Ｉｔ  ｉｓ  ａ  ｐｌｅａｓｕｒｅ  ｔｏ  ｍｅｅｔ  ｙｏｕ  ｔｏｏ．」，「和訳：会えて光栄だよ。」）を検索する。そして、図７Ａに示すように、第２人物返答出力部１０２ｂは、検索した当該第１の第２人物返答情報（図７Ａにおいて、「Ｉｔ  ｉｓ  ａ  ｐｌｅａｓｕｒｅ  ｔｏ  ｍｅｅｔ  ｙｏｕ  ｔｏｏ．  会えて光栄だよ。」）を、第２の人物が第１の人物に対して返答する表示形態で、表示部１１４に表示するように制御する。そして、第２人物発言出力部１０２ｃは、会話情報データベース１０６ａに記憶された会話情報から第１の使用順（図１５Ａにおいて、「順番：１ｓｔ」）で整理された第２の人物における第１の第２人物発言情報（図１５Ａにおいて、「ＩＤ：１＿６」，「英語：Ｗｈｅｒｅ  ａｒｅ  ｙｏｕ  ｆｒｏｍ？」，「和訳：どこから来たの？」）を検索する。そして、図７Ａに示すように、第２人物発言出力部１０２ｃは、検索した当該第１の第２人物発言情報（図７Ａにおいて、「Ｗｈｅｒｅ  ａｒｅ  ｙｏｕ  ｆｒｏｍ？  どこから来たの？」）を、第２の人物が第１の人物に対して発言する表示形態で、表示部１１４に表示するよう制御する（ステップＳＴ−４）。
【００６９】  そして、返答候補出力部１０２ｄは、ステップＳＴ−４において、第２人物発言出力部１０２ｃにより表示部１１４に表示された第１の第２人物発言情報（図７Ａにおいて、「Ｗｈｅｒｅ  ａｒｅ  ｙｏｕ  ｆｒｏｍ？  どこから来たの？」）に対する第１の人物の返答の候補として、会話情報データベース１０６ａに記憶された会話情報から第２の使用順（図１５Ｂにおいて、「順番：１ｓｔ」）で整理された第１の人物における第１の第１人物返答情報（図１５Ｂにおいて、「ＩＤ：１＿６＿１」，「英語：Ｉ’ｍ  ｆｒｏｍ  Ｔｏｋｙｏ，Ｊａｐａｎ．」，「和訳：日本の東京から来ました。」）、及び、第２の第１人物返答情報（図１５Ｃにおいて、「ＩＤ：１＿６＿２」，「Ｉ’ｍ  ｌｉｖｉｎｇ  ｉｎ  Ｔｏｋｙｏ」，「和訳：東京に住んでいます。」）を検索する。そして、図７Ａに示すように、返答候補出力部１０２ｄは、検索した当該第１の第１人物返答情報（図７Ａにおいて、「ａ）Ｉ’ｍ  ｆｒｏｍ  Ｔｏｋｙｏ，Ｊａｐａｎ．  日本の東京から来ました。」）、又は、当該第２の第１人物返答情報「ｂ）Ｉ’ｍ  ｌｉｖｉｎｇ  ｉｎ  Ｔｏｋｙｏ  東京に住んでいます。」のうち一方を選択可能な表示形態で、表示部１１４に表示するよう制御する（ステップＳＴ−５）。
【００７０】  そして、第１人物返答出力部１０２ｅは、ステップＳＴ−５において返答候補出力部１０２ｄにより表示部１１４に表示された第１の第１人物返答情報及び第２の第１人物返答情報のうち、ステップＳＴ−６において利用者により入力部１１２を介して第１の第１人物返答情報（図７Ａにおいて、「ａ）Ｉ’ｍ  ｆｒｏｍ  Ｔｏｋｙｏ，Ｊａｐａｎ．  日本の東京から来ました。」）が選択された場合、当該第１の第１人物返答情報（「Ｉ’ｍ  ｆｒｏｍ  Ｔｏｋｙｏ，Ｊａｐａｎ．  日本の東京から来ました。」）を第１の人物が第２の人物に対して返答する表示形態で、表示部に表示するように制御する（ステップＳＴ−４）。或いは、第１人物返答出力部１０２ｅは、ステップＳＴ−６において利用者により入力部１１２を介して第２の第１人物返答情報（図７Ａにおいて、「ｂ）Ｉ’ｍ  ｌｉｖｉｎｇ  ｉｎ  Ｔｏｋｙｏ  東京に住んでいます。」）が選択された場合、当該第２の第１人物返答情報（図１１において、「Ｉ’ｍ  ｌｉｖｉｎｇ  ｉｎ  Ｔｏｋｙｏ  東京に住んでいます。」）を第１の人物が第２の人物に対して返答する表示形態で、表示部１１４に表示するように制御する（ステップＳＴ−４）。
【００７１】  そして、特に画面例を図示しないが、発言候補出力部１０２ｆは、第１の人物から第２の人物に対する発言の候補として、会話情報データベース１０６ａに記憶された会話情報から第２の使用順（図１５Ａにおいて、「順番：２ｎｄ」）で整理された第１の人物における第２の第１人物発言情報（図１５Ａにおいて、「ＩＤ：１＿２」，「英語：Ｗｈｅｒｅ  ｄｏ  ｙｏｕ  ｌｉｖｅ？」，「和訳：どこに住んでいるんですか？」）、及び、第３の第１人物発言情報（図１５Ａにおいて、「ＩＤ：１＿３」，「英語：Ｄｏ  ｙｏｕ  ｈａｖｅ  ａｎｙ  ｂｒｏｔｈｅｒｓ  ｏｒ  ｓｉｓｔｅｒｓ？」，「和訳：兄弟はいるんですか？」）を検索する。そして、発言候補出力部１０２ｆは、検索した当該第２の第１人物発言情報（「ａ）Ｗｈｅｒｅ  ｄｏ  ｙｏｕ  ｌｉｖｅ？  どこに住んでいるんですか？」）、又は、当該第３の第１人物発言情報（「ｂ）Ｄｏ  ｙｏｕ  ｈａｖｅ  ａｎｙ  ｂｒｏｔｈｅｒｓ  ｏｒ  ｓｉｓｔｅｒｓ？  兄弟はいるんですか？」）のうち一方を選択可能な表示形態で、表示部１１４に表示するよう制御する（ステップＳＴ−５）。
【００７２】  そして、第１人物発言出力部１０２ａは、ステップＳＴ−５において発言候補出力部１０２ｆにより表示部１１４に表示された第２の第１人物発言情報（「ａ）Ｗｈｅｒｅ  ｄｏ  ｙｏｕ  ｌｉｖｅ？  どこに住んでいるんですか？」）、及び、第３の第１人物発言情報（「ｂ）Ｄｏ  ｙｏｕ  ｈａｖｅ  ａｎｙ  ｂｒｏｔｈｅｒｓ  ｏｒ  ｓｉｓｔｅｒｓ？  兄弟はいるんですか？」）のうち、ステップＳＴ−６において利用者により入力部１１２を介して第２の第１人物発言情報が選択された場合、当該第２の第１人物発言情報（「Ｗｈｅｒｅ  ｄｏ  ｙｏｕ  ｌｉｖｅ？  どこに住んでいるんですか？」）を第１の人物が第２の人物に対して発言する表示形態で、表示部１１４に表示するように制御する（ステップＳＴ−４）。或いは、第１人物発言出力部１０２ａは、ステップＳＴ−６において、利用者により入力部１１２を介して第３の第１人物発言情報が選択された場合、当該第３の第１人物発言情報（「Ｄｏ  ｙｏｕ  ｈａｖｅ  ａｎｙ  ｂｒｏｔｈｅｒｓ  ｏｒ  ｓｉｓｔｅｒｓ？  兄弟はいるんですか？」）を第１の人物が第２の人物に対して発言する表示形態で、表示部１１４に表示するように制御する（ステップＳＴ−４）。
【００７３】  そして、第２人物返答出力部１０２ｂは、ステップＳＴ−４において第１人物発言出力部１０２ａにより第２の第１人物発言情報（「Ｗｈｅｒｅ  ｄｏ  ｙｏｕ  ｌｉｖｅ？  どこに住んでいるんですか？」）が表示部１１４に表示された場合、当該第２の第１人物発言情報に対する第２の人物の返答として、会話情報記憶データベース１０６ａに記憶された会話情報から第２の使用順（図１５Ｂにおいて、「順番：２ｎｄ」）で整理された第２の人物における第２の第２人物返答情報（図１５Ｂにおいて、「ＩＤ：１＿２＿１」，「英語：Ｉ  ｌｉｖｅ  ｉｎ  Ｂｅｌ  Ａｉｒ．」，「和訳：ベルエアに住んでいるよ。」）を検索し、検索した当該第２の第２人物返答情報（「Ｉ  ｌｉｖｅ  ｉｎ  Ｂｅｌ  Ａｉｒ．  ベルエアに住んでいるよ。」）を、第２の人物が第１の人物に対して返答する表示形態で、表示部１１４に表示するように制御する（ステップＳＴ−４）。或いは、第２人物返答出力部１０２ｂは、第１人物発言出力部１０２ａにより第３の第１人物発言情報（「Ｄｏ  ｙｏｕ  ｈａｖｅ  ａｎｙ  ｂｒｏｔｈｅｒｓ  ｏｒ  ｓｉｓｔｅｒｓ？  兄弟はいるんですか？」）が表示部１１４に表示された場合、当該第３の第１人物発言情報に対する第２の人物の返答として、会話情報データベース１０６ａに記憶された会話情報から第２の使用順（図１５Ｂにおいて、「順番：２ｎｄ」）で整理された第２の人物における第３の第２人物返答情報（図１５Ｂにおいて、「ＩＤ：１＿３＿１」，「英語：Ｉ  ｈａｖｅ  ａ  ｙｏｕｎｇｅｒ  ｂｒｏｔｈｅｒ．」，「和訳：弟がいるよ。」）を検索し、検索した当該第３の第２人物返答情報（「Ｉ  ｈａｖｅ  ａ  ｙｏｕｎｇｅｒ  ｂｒｏｔｈｅｒ．  弟がいるよ。」）を、第２の人物が第１の人物に対して返答する表示形態で、表示部１１４に表示するように制御する（ステップＳＴ−４）。
【００７４】  そして、第２人物発言出力部１０２ｃは、会話情報データベース１０６ａに記憶された会話情報から第２の使用順（図１５Ａにおいて、「順番：２ｎｄ」）で整理された第２の人物における第２の第２人物発言情報（図１５Ａにおいて、「ＩＤ：１＿８」，「英語：Ｈｏｗ  ｗａｓ  ｙｏｕｒ  ｆｌｉｇｈｔ？」，「和訳：飛行機はどうだった？」）を検索し、検索した当該第２の第２人物発言情報（「Ｈｏｗ  ｗａｓ  ｙｏｕｒ  ｆｌｉｇｈｔ？  飛行機はどうだった？」）を、第２の人物が第１の人物に対して発言する表示形態で、表示部１１４に表示するよう制御する（ステップＳＴ−４）。
【００７５】  そして、返答候補出力部１０２ｄは、ステップＳＴ−４において第２人物発言出力部１０２ｂにより表示部１１４に表示された第２の第２人物発言情報（「Ｈｏｗ  ｗａｓ  ｙｏｕｒ  ｆｌｉｇｈｔ？  飛行機はどうだった？」）に対する第１の人物の返答の候補として、会話情報データベース１０６ａに記憶された会話情報から第３の使用順（図１５Ｂにおいて、「順番：２ｎｄ」）で整理された第１の人物における第３の第１人物返答情報（図１５Ｂにおいて、「ＩＤ：１＿８＿１」，「英語：Ｉｔ  ｗａｓ  ｂａｄ．  Ｗｅ  ｈａｄ  ｔｕｒｂｕｌｅｎｃｅ．」，「和訳：ひどかったです。乱気流があったので。」））、及び、第４の第１人物返答情報（図１５Ｃにおいて、「ＩＤ：１＿８＿２」，「英語：Ｉｔ  ｗａｓ  ｂａｄ，  ｏｕｒ  ｆｌｉｇｈｔ  ｗａｓ  ｄｅｌａｙｅｄ  ｆｏｒ  ｏｖｅｒ  ３  ｈｏｕｒｓ．」，「和訳：ひどかったです。３時間以上も飛行機が遅れてしまったので。」）を検索する。そして、返答候補出力部１０２ｄは、検索した当該第３の第１人物返答情報（「Ｉｔ  ｗａｓ  ｂａｄ．  Ｗｅ  ｈａｄ  ｔｕｒｂｕｌｅｎｃｅ．  ひどかったです。乱気流があったので。」）、又は、当該第４の第１人物返答情報（「Ｉｔ  ｗａｓ  ｂａｄ，  ｏｕｒ  ｆｌｉｇｈｔ  ｗａｓ  ｄｅｌａｙｅｄ  ｆｏｒ  ｏｖｅｒ  ３  ｈｏｕｒｓ．  ひどかったです。３時間以上も飛行機が遅れてしまったので。」）のうち一方を選択可能な表示形態で、表示部１１４に表示するよう制御する（ステップＳＴ−４）。
【００７６】  そして、第１人物返答出力部１０２ａは、ステップＳＴ−４において返答候補出力部１０２ｄにより表示部１１４に表示された第３の第１人物返答情報（「Ｉｔ  ｗａｓ  ｂａｄ．  Ｗｅ  ｈａｄ  ｔｕｒｂｕｌｅｎｃｅ．  ひどかったです。乱気流があったので。」）、及び、第４の第１人物返答情報（「Ｉｔ  ｗａｓ  ｂａｄ，  ｏｕｒ  ｆｌｉｇｈｔ  ｗａｓ  ｄｅｌａｙｅｄ  ｆｏｒ  ｏｖｅｒ  ３  ｈｏｕｒｓ．  ひどかったです。３時間以上も飛行機が遅れてしまったので。」）のうち、利用者により入力部１１２を介して第３の第１人物返答情報が選択された場合、当該第３の第１人物返答情報を第１の人物が第２の人物に対して返答する表示形態で、表示部１１４に表示するように制御するか、或いは、利用者により入力部１１２を介して第４の第１人物返答情報が選択された場合、当該第４の第１人物返答情報を第１の人物が第２の人物に対して返答する表示形態で、表示部１１４に表示するように制御する（ステップＳＴ−５）。
【００７７】  そして、発言候補出力部１０２ｆは、第１の人物から第２の人物に対する発言の候補として、会話情報データベース１０６ａに記憶された会話情報から第３の使用順（図１５Ａにおいて「順番：３ｒｄ」）で整理された第１の人物における第４の第１人物発言情報（図１５Ａにおいて、「ＩＤ：１＿４」，「英語：Ｗｈａｔ  ｄｏ  ｙｏｕ  ｕｓｕａｌｌｙ  ｄｏ  ｏｎ  ｔｈｅ  ｗｅｅｋｅｎｄｓ？」，「和訳：週末は何をしていますか？」）、及び、第５の第１人物発言情報（図１５Ａにおいて、「ＩＤ：１＿５」，「英語：Ｄｏ  ｙｏｕ  ｐｌａｙ  ａｎｙ  ｓｐｏｒｔｓ？」，「和訳：スポーツを何かしますか？」）を検索し、検索した当該第４の第１人物発言情報（「ａ）Ｗｈａｔ  ｄｏ  ｙｏｕ  ｕｓｕａｌｌｙ  ｄｏ  ｏｎ  ｔｈｅ  ｗｅｅｋｅｎｄｓ？  週末は何をしていますか？」）、又は、当該第５の第１人物発言情報（「ｂ）Ｄｏ  ｙｏｕ  ｐｌａｙ  ａｎｙ  ｓｐｏｒｔｓ？  スポーツを何かしますか？」）のうち一方を選択可能な表示形態で、表示部１１４に表示するよう制御する（ステップＳＴ−５）。
【００７８】  そして、第１人物発言出力部１０２ａは、ステップＳＴ−５において発言候補出力部１０２ｆにより表示部１１４に表示された第４の第１人物発言情報（「Ｗｈａｔ  ｄｏ  ｙｏｕ  ｕｓｕａｌｌｙ  ｄｏ  ｏｎ  ｔｈｅ  ｗｅｅｋｅｎｄｓ？  週末は何をしていますか？」）、及び、第５の第１人物発言情報（「Ｄｏ  ｙｏｕ  ｐｌａｙ  ａｎｙ  ｓｐｏｒｔｓ？  スポーツを何かしますか？」）のうち、ステップＳＴ−６において利用者により入力部１１２を介して第４の第１人物発言情報が選択された場合、当該第４の第１人物発言情報を第１の人物が第２の人物に対して発言する表示形態で、表示部１１４に表示するように制御するか、或いは、ステップＳＴ−６において利用者により入力部１１２を介して第５の第１人物発言情報が選択された場合、当該第５の第１人物発言情報を第１の人物が第２の人物に対して発言する表示形態で、表示部１１４に表示するように制御する（ステップＳＴ−４）。
【００７９】  このような会話情報出力処理（ステップＳＴ−４）、候補出力処理（ステップＳＴ−５）、及び、候補入力処理（ステップＳＴ−６）を、語学学習装置１００の制御部１０２は、ステップＳＴ−７で会話が終了した（すなわち、会話情報データベース１０６ａに設定された使用順としての「順番」が最後の順番になった）と判定されるまで、繰り返し実行する。
【００８０】  上述の例では、図７Ａを参照して説明したように、図３のステップＳＴ−３において、利用者により入力部１１２を介して第１の人物として人物「休暇中の旅行者（はるか）」が選択された場合を説明したが、本実施形態に係る語学学習装置１００の処理は、これに限定されない。例えば、ステップＳＴ−３において、利用者により入力部１１２を介して第２の人物として人物「初対面の男性（ジョニー）」が選択された場合には、以下の処理を行うものとする。
【００８１】  第１人物発言出力部１０２ａは、ステップＳＴ−３において利用者により入力部１１２を介して第２の人物が選択された場合、図７Ｂに示すように、会話情報データベース１０６ａに記憶された会話情報から第１の使用順で整理された第１の人物における第１の第１人物発言情報を検索し、検索した当該第１の第１人物発言情報を、第１の人物が第２の人物に対して発言する表示形態で、表示部１１４に表示するよう制御する（ステップＳＴ−４）。そして、図７Ｂに示すように、返答候補出力部１０２ｄは、第１人物発言出力部１０２ａにより表示部１１４に表示された第１の第１人物発言情報に対する第２の人物の返答の候補として、会話情報データベース１０６ａに記憶された会話情報から第１の使用順で整理された第２の人物における第１の第２人物返答情報及び第２の第２人物返答情報を検索し、検索した当該第１の第２人物返答情報又は当該第２の第２人物返答情報のうち一方を選択可能な表示形態で、表示部１１４に表示するよう制御する（ステップＳＴ−５）。
【００８２】  そして、特に画面例を図示しないが、第２人物返答出力部１０２ｂは、ステップＳＴ−５において返答候補出力部１０２ｄにより表示部１１４に表示された第１の第２人物返答情報及び第２の第２人物返答情報のうち、ステップＳＴ−６において利用者により入力部１１２を介して第１の第２人物返答情報が選択された場合、当該第１の第２人物返答情報を第２の人物が第１の人物に対して返答する表示形態で、表示部１１４に表示するように制御するか、或いは、ステップＳＴ−６において利用者により入力部を介して第２の第２人物返答情報が選択された場合、当該第２の第２人物返答情報を第２の人物が第１の人物に対して返答する表示形態で、表示部１１４に表示するように制御する（ステップＳＴ−４）。
【００８３】  そして、発言候補出力部１０２ｆは、第２の人物から第１の人物に対する発言の候補として、会話情報データベース１０６ａに記憶された会話情報から第１の使用順で整理された第２の人物における第１の第２人物発言情報及び第２の第２人物発言情報を検索し、検索した当該第１の第２人物発言情報又は当該第２の第２人物発言情報のうち一方を選択可能な表示形態で、表示部１１４に表示するよう制御する（ステップＳＴ−５）。そして、第２人物発言出力部１０２ｃは、ステップＳＴ−５において発言候補出力部１０２ｆにより表示部１１４に表示された第１の第２人物発言情報及び第２の第２人物発言情報のうち、ステップＳＴ−６において利用者により入力部１１２を介して第１の第２人物発言情報が選択された場合、当該第１の第２人物発言情報を第２の人物が第１の人物に対して発言する表示形態で、表示部１１４に表示するように制御するか、或いは、ステップＳＴ−６において利用者により入力部１１２を介して第２の第２人物発言情報が選択された場合、当該第２の第２人物発言情報を第２の人物が第１の人物に対して発言する表示形態で、表示１１４部に表示するように制御する（ステップＳＴ−４）。
【００８４】  そして、第１人物返答出力部１０２ｅは、ステップＳＴ−４において第２人物発言出力部１０２ｃにより第１の第２人物発言情報が表示部１１４に表示された場合、当該第１の第２人物発言情報に対する第１の人物の返答として、会話情報データベース１０６ａに記憶された会話情報から第２の使用順で整理された第１の人物における第１の第１人物返答情報を検索し、検索した当該第１の第１人物返答情報を、第１の人物が第２の人物に対して返答する表示形態で、表示部１１４に表示するように制御するか、或いは、第２人物発言出力部１０２ｃにより第２の第２人物発言情報が表示部１１４に表示された場合、当該第２の第２人物発言情報に対する第１の人物の返答として、会話情報データベース１０６ａに記憶された会話情報から第２の使用順で整理された第１の人物における第２の第１人物返答情報を検索し、検索した当該第２の第１人物返答情報を、第１の人物が第２の人物に対して返答する表示形態で、表示部１１４に表示するように制御する。
【００８５】  そして、第１人物発言出力部１０２ａは、ステップＳＴ−４において会話情報データベース１０６ａに記憶された会話情報から第２の使用順で整理された第１の人物における第２の第１人物発言情報を検索し、検索した当該第２の第１人物発言情報を、第１の人物が第２の人物に対して発言する表示形態で、表示部１１４に表示するよう制御する。そして、返答候補出力部１０２ｄは、ステップＳＴ−４において、第１人物発言出力部１０２ａにより表示部１１４に表示された第２の第１人物発言情報に対する第２の人物の返答の候補として、会話情報データベース１０６ａに記憶された会話情報から第２の使用順で整理された第２の人物における第３の第２人物返答情報及び第４の第２人物返答情報を検索し、検索した当該第３の第２人物返答情報又は当該第４の第２人物返答情報のうち一方を選択可能な表示形態で、表示部１１４に表示するよう制御する（ステップＳＴ−５）。
【００８６】  そして、第２人物返答出力部１０２ｂは、ステップＳＴ−５において返答候補出力部１０２ｄにより表示部１１４に表示された第３の第２人物返答情報及び第４の第２人物返答情報のうち、ステップＳＴ−６において利用者により入力部１１２を介して第３の第２人物返答情報が選択された場合、当該第３の第２人物返答情報を第２の人物が第１の人物に対して返答する表示形態で、表示部１１４に表示するように制御するか、或いは、ステップＳＴ−６において利用者により入力部１１２を介して第４の第２人物返答情報が選択された場合、当該第４の第２人物返答情報を第２の人物が第１の人物に対して返答する表示形態で、表示部１１４に表示するように制御する（ステップＳＴ−４）。
【００８７】  そして、発言候補出力部１０２ｆは、第２の人物から第１の人物に対する発言の候補として、会話情報データベース１０６ａに記憶された会話情報から第３の使用順で整理された第２の人物における第３の第２人物発言情報及び第４の第２人物発言情報を検索し、検索した当該第３の第２人物発言情報又は当該第４の第２人物発言情報のうち一方を選択可能な表示形態で、表示部１１４に表示するよう制御する（ステップＳＴ−５）。そして、第２人物発言出力部１０２ｃは、ステップＳＴ−５において発言候補出力部１０２ｆにより表示部１１４に表示された第３の第２人物発言情報及び第４の第２人物発言情報のうち、ステップＳＴ−６において利用者により入力部１１２を介して第３の第２人物発言情報が選択された場合、当該第３の第１人物発言情報を第２の人物が第１の人物に対して発言する表示形態で、表示部１１４に表示するように制御するか、或いは、ステップＳＴ−６において利用者により入力部１１２を介して第４の第２人物発言情報が選択された場合、当該第４の第２人物発言情報を第２の人物が第１の人物に対して発言する表示形態で、表示部１１４に表示するように制御する（ステップＳＴ−４）。
【００８８】  このように、ステップＳＴ−３において、利用者により入力部１１２を介して第２の人物として人物「初対面の男性（ジョニー）」が選択された場合においても、語学学習装置１００の制御部１０２は、会話情報出力処理（ステップＳＴ−４）、候補出力処理（ステップＳＴ−５）、及び、候補入力処理（ステップＳＴ−６）を、ステップＳＴ−７で会話が終了した（すなわち、会話情報データベース１０６ａに設定された使用順としての「順番」が最後の順番になった）と判定されるまで、繰り返し実行する。
【００８９】  なお上述の図３のステップＳＴ−４及びステップＳＴ−５において、会話情報（発言情報及び返答情報を含む）は、図８Ａに示すように、英文とともに和訳が出力される表示形態であってもよいし、図８Ｂに示すように、和訳なしで英文のみが出力される表示形態であってもよい。図８Ａにおいて表示部１１４上の上段画面１１４−１の和訳非表示切り替えボタン（図８Ａにおいて、（ｉｖ）が示す「Ｈｉｄｅ  Ｔｒａｎｓｌａｔｉｏｎ」ボタン）が、利用者により選択されると、図８Ｂの画面に切り替わるものとする。一方、図８Ｂにおいて表示部１１４上の上段画面１１４−１の和訳表示切り替えボタン（図８Ｂにおいて、（ｖ）が示す「Ｓｈｏｗ  Ｔｒａｎｓｌａｔｉｏｎ」ボタン）が、利用者により選択されると、図８Ａの画面に切り替わるものとする。この他、上述のステップＳＴ−４及びステップＳＴ−５において、会話情報データベース１０６ａに記憶された発言情報及び返答情報は、音声出力部１１６を介して出力されてもよい。
【００９０】  また、上述の図３のステップＳＴ−６において、語学学習装置１００の制御部１０２は、返答候補出力部１０２ｄにより表示部１１４に表示された返答の候補、及び、発言候補出力部１０２ｆにより表示部１１４に表示された発言の候補を、利用者により音声入力部１１８を介して入力される音声に応じて選択してもよい。例えば、図９に示すように、マイク入力ボタンが選択されたことで表示される音声認識中であることを示す領域（ｖｉ）が表示されている間、利用者が発言や返答の候補として音声入力部１１８に対して音声を入力した場合、図１０に示すように、制御部１０２は、下段画面１１４−３中の音声入力結果表示欄に音声入力結果を表示させる制御を行うとともに、中段画面１１４−２注に音声認識診断結果（ｖｉｉ）を表示させる制御を行ってもよい。音声認識診断結果（ｖｉｉ）は、例えば、選択肢の単語のマッチ数に応じて決定される。一例として、「Ｇｏｏｄ」は４単語マッチ、「Ｖｅｒｙ  Ｇｏｏｄ」は５単語マッチ、「Ｅｘｃｅｌｅｎｔ」は６単語マッチ、「Ｆａｎｔａｓｔｉｃ」は６単語以上マッチ、「Ｐｅｒｆｅｃｔ」は完全マッチ等に設定されるものとするが、これらに限定されない。
【００９１】  なお、上述の図３のステップＳＴ−６において、タイプ入力ボタンが選択された場合には、図１１に示すように、発言や返答の候補は、中段画面１１４−２内の候補表示領域（ｖｉｉｉ）に表示され、更に、中段画面１１４−２内には、タイプ結果表示欄と送信ボタンが表示されるものとする。利用者は、下段画面１１４−３内のタイプ入力用キーボードを介してタイプ入力することができる。また、本実施形態において、上述の図３のステップＳＴ−６において、図１２の（ｖｉｉｉｉ）が示すように、一度マイク／タイプ入力（王冠取得）した選択肢は、以後、タップ可能としてもよい。この場合、図１２において、下段画面１１４−３内には、マイク入力ボタンとタイプ入力ボタンが表示されているものの、一度マイク／タイプ入力をしているため、これらマイク入力ボタンとタイプ入力ボタンは選択できず、選択肢（ａ），（ｂ）のボタンのみが選択可能となる。
【００９２】  続いて、本実施形態における一実施例について、図１３及び図１４を参照して説明する。ここで、図１３は、実施例に係る語学学習装置の処理の一例を示すフローチャートである。
【００９３】  図１３に示すように、利用者は人物を選択し、語学学習装置１００の制御部１０２は、利用者により入力部１１２を介して選択された人物を設定する（ステップＳＴ−１０）。そして、制御部１０２は、コンピュータ側が発言する（主に質問）発言情報について、音声を再生したり、チャット画面の左側に内容を表示したりする（ステップＳＴ−２０）。そして、制御部１０２は、発言や返答の候補を選択肢として表示する（ステップＳＴ−３０）。そして、利用者は、（１）マイク入力か、（２）タイプ入力か、（３）タップ入力で選択肢の入力を行う（ステップＳＴ−４０）。
【００９４】  （１）マイク入力の場合には、利用者はマイク入力ボタンをタップして（ステップＳＴ−５０）、スマートフォンに向かって音声入力すると、制御部１０２は音声認識を行う（ステップＳＴ−６０）。そして、制御部１０２は、音声認識結果を表示し、認識結果に近い選択肢を選択して（ステップＳＴ−７０）、入力された選択肢を表示したり、音声再生やチャット画面の右側に内容を表示したりする（ステップＳＴ−１３０）。
【００９５】  （２）タイプ入力の場合は、利用者はタイプ入力ボタンをタップして（ステップＳＴ−８０）、選択肢をキーボードでタイプ入力すると（ステップＳＴ−９０）、制御部１０２は、入力された選択肢を選択して（ステップＳＴ−１００）、入力された選択肢を表示したり、音声再生やチャット画面の右側に内容を表示したりする（ステップＳＴ−１３０）。
【００９６】  （３）タップ入力の場合は、利用者は選択肢をタップして（ステップＳＴ−１１０）、制御部１０２は、タップされた選択肢を選択して（ステップＳＴ−１２０）、入力された選択肢を表示したり、音声再生やチャット画面の右側に内容を表示したりする（ステップＳＴ−１３０）。
【００９７】  ステップＳＴ−１３０の処理後、制御部１０２は、こちら側が発言するターンの場合は（ステップＳＴ−１４０）、ステップＳＴ−３０の処理に戻り上述の処理を繰り返す。一方、ステップＳＴ−１３０の処理後、制御部１０２は、相手側が発言するターンの場合は（ステップＳＴ−１６０）、ステップＳＴ−２０の処理に戻り上述の処理を繰り返す。ここで、ステップＳＴ−１３０の処理後、制御部１０２は、会話の最後の発言だった場合は（ステップＳＴ−１５０）、会話完了として、会話選択画面に戻る（ステップＳＴ−１７０）。その後、本処理を終了する。
【００９８】  図１４は、本実施例において会話情報データベース１０６ａに記憶された会話情報の選択過程を示す概念図である。図１４において、ラウンド数は、本実施形態における「使用順」や「順番」に対応する概念である。また、人物１は「第１人物」に対応し、人物２は「第２人物」に対応する概念である。この他、トピック数は、「ＩＤ」に対応し、質問は、「発言情報」に対応し、回答は、「返答情報」に対応する概念である。図１４に示すように、会話情報の選択過程は、ステップＳＡ−１から開始される。ステップＳＡ−１の「ラウンド１、人物１、トピック１質問」から、ステップＳＡ−２「ラウンド１、人物２、トピック１回答１」と、ステップＳＡ−３「ラウンド１、人物２、トピック１回答２」へ枝分かれする。その後、ステップＳＡ−２とステップＳＡ−３から夫々、ステップＳＡ−４「ラウンド２、人物２、トピック２質問」と、ステップＳＡ−５「ラウンド２、人物２、トピック３質問」へ枝分かれする。更に、ステップＳＡ−４からは、ステップＳＡ−６「ラウンド２、人物１、トピック２回答１」と、ステップＳＡ−７「ラウンド２、人物１、トピック２回答２」へ枝分かれして、ステップＳＡ−５からは、ステップＳＡ−８「ラウンド２、人物１、トピック３回答１」と、ステップＳＡ−８「ラウンド２、人物１、トピック３回答２」へ枝分かれする。以降、このステップＳＡ−６〜ステップＳＡ−９からそれぞれ、ステップＳＢ−１とステップＳＢ−２へと枝分かれする。その後、ステップＳＢ−３〜ＳＢ−６、ステップＳＣ−１〜ＳＣ−６、ステップＳＤ−１〜ＳＤ−６、及び、ステップＳＥ−１〜ＳＥ−６についても、上述と同様に枝分かれしていくため、説明を省略する。
【００９９】  以上説明したように、本実施形態に係る語学学習装置、語学学習方法、及びプログラムによれば、語学習得を望む利用者に対して容易に会話を続けさせることができ、コミュニケーションを通じて利用者の学習効率をより促進させることができる。
【０１００】  さて、これまで本発明の実施形態について説明したが、本発明は、上述した実施形態以外にも、特許請求の範囲に記載した技術的思想の範囲内において種々の異なる実施の形態にて実施されてよいものである。
【０１０１】  また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１０２】  このほか、上記文献中や図面中で示した処理手順、制御手順、具体的名称、各処理の登録データや検索条件等のパラメータを含む情報、画面例、データベース構成については、特記する場合を除いて任意に変更することができる。
【０１０３】  また、語学学習装置１００に関して、図示の各構成要素は機能概念的なものであり、必ずしも物理的に図示の如く構成されていることを要しない。
【０１０４】  例えば、語学学習装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて語学学習装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１０５】  また、このコンピュータプログラムは、語学学習装置１００に対して任意のネットワーク３００を介して接続されたサーバ装置４００等のアプリケーションプログラムサーバに記憶されていてもよく、必要に応じてその全部または一部をダウンロードすることも可能である。
【０１０６】  また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１０７】  また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１０８】  記憶部１０６に格納される各種のデータベース等は、ＲＡＭ、ＲＯＭ等のメモリ装置、ハードディスク等の固定ディスク装置、フレキシブルディスク、光ディスク等のストレージ手段であり、各種処理に用いる各種のプログラムやテーブルやデータベースやファイル等を格納する。
【０１０９】  また、語学学習装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【０１１０】  更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０１１１】  このような語学学習装置、語学学習方法、及びプログラムは、語学習得を望む利用者に対して容易に会話を続けさせることができ、コミュニケーションを通じて利用者の学習効率をより促進させることが可能であるため、情報処理産業及び教育産業にとって特に有用であり、産業上の利用可能性は極めて大きいものである。
【符号の説明】
【０１１２】１００  語学学習装置
１０２  制御部
１０２ａ  第１人物発言出力部
１０２ｂ  第２人物返答出力部
１０２ｃ  第２人物発言出力部
１０２ｄ  返答候補出力部
１０２ｅ  第１人物返答出力部
１０２ｆ  発言候補出力部
１０４  通信制御インターフェース部
１０６  記憶部
１０６ａ  会話情報データベース
１０８  入出力制御インターフェース部
１１２  入力部
１１４  表示部
１１６  音声出力部
１１８  音声入力部
３００  ネットワーク
４００  サーバ装置
【図１】
2015194756.tif 000003
【図２】
2015194756.tif 000004
【図３】
2015194756.tif 000005
【図４】
2015194756.tif 000006
【図５】
2015194756.tif 000007
【図６】
2015194756.tif 000008
【図７Ａ】
2015194756.tif 000009
【図７Ｂ】
2015194756.tif 000010
【図８Ａ】
2015194756.tif 000011
【図８Ｂ】
2015194756.tif 000012
【図９】
2015194756.tif 000013
【図１０】
2015194756.tif 000014
【図１１】
2015194756.tif 000015
【図１２】
2015194756.tif 000016
【図１３】
2015194756.tif 000017
【図１４】
2015194756.tif 000018
【図１５Ａ】
2015194756.tif 000019
【図１５Ｂ】
2015194756.tif 000020
【図１５Ｃ】
2015194756.tif 000021